(57)【要約】【課題】照明具の部品点数の低減、防水性能の向上、軽量化、放熱性の改善を図る。【解決手段】外周部（外周面１１０ｊの取付部１０２ｊ）に発光素子１２１が配置される本体部１００ｊと、前記発光素子を覆うように前記本体部の外側に配置されるカバー１３０と、前記本体部および前記カバーの一端を覆うように前記本体部に取り付けられた第１端部蓋１４０ｊと、前記本体部の側の端部（連結蓋７００の第２端部７０２）が前記本体部および前記カバーの他端を覆うように前記本体部に取り付けられるとともに前記本体部と反対側の端部（支持本体２１００ｊの螺合部２１１０ｊ）に口金受電端２００が取り付けられる連結部（連結蓋７００と支持体２１０ｊ）とを備えた。【選択図】図６１
2019003867.tif 000002
【特許請求の範囲】
【請求項１】
外周部に発光素子が配置される本体部と、
前記本体部の外側に配置され、前記発光素子が配置されている点灯空間を形成したカバーと、
前記本体部の一端と前記カバーの一端とを覆うように前記本体部に取り付けられている第１端部蓋と、
前記本体部の側の端部が前記本体部の他端と前記カバーの他端とを覆うように前記本体部に取り付けられているとともに、前記本体部と反対側の端部に口金が取り付けられている連結部と
を備えた照明具。
【請求項２】
前記第１端部蓋は、前記点灯空間を塞ぐように前記本体部に取り付けられている請求項１に記載の照明具。
【請求項３】
前記連結部は、前記点灯空間を塞ぐように前記本体部に取り付けられている請求項２に記載の照明具。
【請求項４】
前記本体部は、前記一端および前記他端が開放されている請求項１から３のいずれか１項に記載の照明具。
【請求項５】
前記本体部の内周側に内部空間が形成されている請求項１から４のいずれか１項に記載の照明具。
【請求項６】
前記内部空間は、前記一端および前記他端において外部空間と繋がっている請求項５に記載の照明具。
【請求項７】
前記第１端部蓋は、前記内部空間を開放するように前記本体部に取り付けられている請求項５又は６に記載の照明具。
【請求項８】
前記連結部は、前記内部空間を開放するように前記本体部に取り付けられている請求項５から７のいずれか１項に記載の照明具。
【請求項９】
前記連結部は、前記本体部に取り付けられている連結蓋と、前記口金が取り付けられている支持体とを有しており、
前記連結蓋と前記支持体とは、共通の固定具を用いて前記本体部に取り付けられている請求項１から８のいずれか１項に記載の照明具。
【請求項１０】
前記連結蓋は、
前記本体部に取り付けられている第２端部蓋と、
前記支持体と締結される締結部と、
前記第２端部蓋と前記締結部とを一体的に接続している脚部と
を有している請求項９に記載の照明具。
【請求項１１】
前記脚部は、前記第２端部蓋と前記締結部との径方向における外縁側の複数の箇所を一体的に接続している請求項１０に記載の照明具。
【請求項１２】
前記本体部の内周側に内部空間が形成されており、
前記内部空間は、前記本体部の他端で外部空間と繋がっており、前記脚部の間を経由して外部空間と繋がっている請求項１０又は１１に記載の照明具。
【請求項１３】
前記脚部は、前記連結蓋を貫通している貫通空間を形成した挿通部を有する請求項１０から１２のいずれか１項に記載の照明具。
【請求項１４】
前記貫通空間は、前記連結蓋が前記本体部に取り付けられた状態において、前記点灯空間と繋がっている請求項１３に記載の照明具。
【請求項１５】
前記発光素子は、前記挿通部を経由して、前記口金から前記点灯空間に配線された配線部材によって点灯電力の供給を受ける請求項１３又は１４に記載の照明具。
【請求項１６】
前記脚部は、外部空間から前記挿通部に貫通する貫通孔を有する請求項１３から１５のいずれか１項に記載の照明具。
【請求項１７】
前記貫通孔には、通気性と液密性とを兼ね備えたフィルタが配置されている請求項１６に記載の照明具。
【請求項１８】
請求項１から１７いずれか１項に記載の照明具を備えた照明装置。
【発明の詳細な説明】
【技術分野】
【０００１】
本発明は照明具の放熱に関し、特に発光ダイオード（ＬＥＤ）に代表される固体発光素子を用いた照明具の放熱構造に関する。また、発光ダイオード（ＬＥＤ）を用いた照明具及び照明装置に関し、特に放熱性、防水性及び絶縁性を兼ね備えた照明具の構成に関する。
【背景技術】
【０００２】
従来、固体発光素子を用いた照明具の放熱構造に関し、特許文献１〜３に記載された技術が開示さている。
【０００３】
特許文献１は、発光モジュールとグローブとの間に透光部材を介在させ、ＬＥＤチップから発生する熱をグローブに効率よく熱伝導してグローブの表面から効率よく放熱させる技術とともに、発光モジュールと点灯回路との間に断熱手段を介在させ、ＬＥＤチップの熱が点灯回路に伝わるのを抑制する技術を開示している。
【０００４】
特許文献２は、点灯時に、ＬＥＤチップが発生する熱を充填材を通じてグローブに効率よく熱伝導し、グローブの外面からの放熱性を向上させる効果を奏する技術の開示であり、立体形状の支持部の表面に、ＬＥＤチップを有する発光部を配置し、立体形状の発光モジュールを形成する。基体の一端に、立体形状の発光モジュールと、発光モジュールを内包するグローブを設ける。立体形状の発光モジュールとグローブの内面との間に、発光部および支持部に接触するように透光性を有する充填材を充填する構成である。なお、特許文献２は特許文献１の分割出願であり、開示技術は実質的に特許文献１と同じである。
【０００５】
特許文献３に開示されたＬＥＤランプは、口金と、中心軸線に沿って延びる貫通孔を有する筒状のヒートシンクと、該ヒートシンクの側面に配置された基板と、該基板に装着されたＬＥＤ素子と、前記口金と前記ヒートシンクの間に配置された冷却ファンと、該冷却ファンを覆う筐体と、前記基板と前記ＬＥＤ素子を覆う透光性のカバーと、を有する。前記冷却ファンの中心軸線と前記ヒートシンクの中心軸線はランプの中心軸線に整合しており、前記ヒートシンクは、同心状に配置された内側筒状部と外側筒状部を有し、前記内側筒状部の内側に中心貫通孔が形成され、前記内側筒状部と前記外側筒状部の間に管状貫通孔が形成されるように構成されている。
【先行技術文献】
【特許文献】
【０００６】
【特許文献１】特開２０１１−０９０８４３号公報
【特許文献２】特開２０１４−００３０３２号公報
【特許文献３】特開２０１５−１６２４１３号公報
【特許文献４】特許第５６６０３８３号公報
【特許文献５】特開２０１２−２２１７６４号公報
【特許文献６】特開２０１５−１４４１３６号公報
【特許文献７】登録実用新案第３２０５８７８号公報
【特許文献８】特開平０９−０４８２７７号公報
【特許文献９】登録実用新案第２５６４５３２号公報
【特許文献１０】特開２０００−０９０７２５号公報
【特許文献１１】特開２０００−１０８７８０号公報
【特許文献１２】特許第５０２８５１８号公報
【特許文献１３】特開２０１１−０７０９７１号公報
【特許文献１４】特開２０１０−１４１２００号公報
【特許文献１５】特開２０１０−１８２７９６号公報
【発明の概要】
【発明が解決しようとする課題】
【０００７】
しかしながら、特許文献１、２に開示された「シリコーン樹脂を充填して放熱媒体を用いた放熱方法」は照明具の軽量化、低価格化の妨げになる。そして、シリコーン樹脂の経年変化にともなう透過率の低下、シリコーン樹脂の収縮に起因した発光素子に対する応力発生など、照明具の長期信頼性の低下も解決されるべき課題であった。
【０００８】
特許文献３には、「シリコーン樹脂の充填」に代わる技術として、冷却ファンを用いる構成が開示されているが、照明具の小型化の妨げになる。そして、長寿命化された発光素子と同等の寿命水準が要求される冷却ファンを使用する必要があり照明具の低価格化の妨げになる。
【０００９】
本発明の実施の形態は、照明具の部品点数の低減を図りながら、照明具の放熱性を向上させることを目的とする。
【課題を解決するための手段】
【００１０】
本発明の照明具は、
外周部に発光素子が配置される本体部と、
前記本体部の外側に配置され、前記発光素子が配置されている点灯空間を形成したカバーと、
前記本体部の一端と前記カバーの一端とを覆うように前記本体部に取り付けられている第１端部蓋と、
前記本体部の側の端部が前記本体部の他端と前記カバーの他端とを覆うように前記本体部に取り付けられているとともに、前記本体部と反対側の端部に口金が取り付けられている連結部と
を備える。
【発明の効果】
【００１１】
本発明の光源ユニットは、連結部により、照明具の部品点数が低減するとともに照明具の放熱性が向上する。
【図面の簡単な説明】
【００１２】
【図１】実施の形態１に係る照明具の組立状態を説明する斜視図。
【図２】実施の形態１に係る照明具の組立状態を説明する斜視図。
【図３】実施の形態１に係る照明具の構成要素を説明する分解斜視図。
【図４】実施の形態１に係る照明具の構成要素を説明する分解斜視図。
【図５】実施の形態１に係る照明具の正面図。
【図６】実施の形態１に係る照明具の底面図。
【図７】実施の形態１に係る照明具の平面図。
【図８】実施の形態１に係る照明具の背面図。
【図９】実施の形態１に係る照明具の左側面図。
【図１０】実施の形態１に係る照明具の右側面図。
【図１１】実施の形態１に係る光源ユニットの組立状態を説明する斜視図。
【図１２】実施の形態１に係る光源ユニットの組立状態を説明する斜視図。
【図１３】実施の形態１に係る光源ユニットの内部構造を説明する端面図。
【図１４】実施の形態１に係る光源ユニットの内部構造を説明する部分断面斜視図。
【図１５】実施の形態１に係る光源ユニットの内部構造を説明する部分断面斜視図。
【図１６】実施の形態１に係る照明具の効果を説明する斜視図。
【図１７】実施の形態１に係る照明具の別の効果を説明する斜視図。
【図１８】実施の形態１に係る照明具のさらに別の効果を説明する斜視図。
【図１９】実施の形態１に係る本体部の別の構成を説明する図。
【図２０】実施の形態１に係る放熱フィンの別の構成を説明する図。
【図２１】実施の形態１に係る連結部の別の構成を説明する図。
【図２２】実施の形態２に係る照明装置を説明する図。
【図２３】実施の形態２に係る別の照明装置を説明する図。
【図２４】実施の形態２に係るさらに別の照明装置を説明する図。
【図２５】実施の形態３に係る連結部が異なる照明具を示す図。
【図２６】実施の形態３に係る光源部と連結部とが異なる照明具を示す図。
【図２７】実施の形態３に係る保護膜がある照明具を示す図。
【図２８】実施の形態３に係る保護膜がある照明具を示す図。
【図２９】実施の形態３に係る本体部１００の実験例１〜５の比較表。
【図３０】実施の形態３に係る本体部１００の「実施形態」の斜視図。
【図３１】実施の形態３に係る本体部１００の「実施形態」の端面図。
【図３２】実施の形態３に係る本体部１００の実験例１と実験例５の構成図。
【図３３】実施の形態３に係る本体部１００の放熱効果を示す図。
【図３４】実施の形態３に係る本体部１００の放熱効果を示す図。
【図３５】実施の形態４に係る光源ユニットの組み立て状態を説明する斜視図。
【図３６】実施の形態４に係る第１端部蓋を説明する示す図。
【図３７】実施の形態５に係る光源ユニットの組み立て状態を説明する斜視図。
【図３８】実施の形態５に係る第１端部蓋を説明する示す図。
【図３９】実施の形態６に係る照明具の構成要素を説明する分解斜視図。
【図４０】実施の形態６に係る照明具の構成要素を説明する分解斜視図。
【図４１】実施の形態６に係る光源ユニットの内部構造を説明する部分断面斜視図。
【図４２】実施の形態６に係る光源ユニットの内部構造を説明する部分断面斜視図。
【図４３】実施の形態６に係る第１ガスケット１６０の構成を示す部分斜視断面図。
【図４４】実施の形態６に係る第１ガスケット１６０の構成を示す部分断面図。
【図４５】実施の形態６に係るカバーガスケットの形状が異なる変形例を説明する部分断面図。
【図４６】実施の形態６に係るカバーガスケットの形状が異なる第４変形例を説明する部分断面図。
【図４７】実施の形態６に係る第２端部蓋の形状が異なる変形例を説明する部分断面図。
【図４８】実施の形態６に係る第１ガスケットの形状が異なる第７変形例を説明する部分断面図。
【図４９】実施の形態６に係る第１ガスケットの形状が異なる第８変形例を説明する部分断面図。
【図５０】実施の形態６に係る第１ガスケットの形状と蓋部の形状とが異なる第９変形例を説明する部分断面図。
【図５１】実施の形態６に係る第１端部蓋を説明する示す図。
【図５２】実施の形態６に係る第１端部蓋を説明する示す図。
【図５３】実施の形態６に係る筒部ガスケット１６２の断面形状を示す図。
【図５４】実施の形態６に係るカバーガスケット１６１ｄの断面形状を示す図。
【図５５】実施の形態７に係る支持ユニット２０ａの構成要素を説明する分解斜視図。
【図５６】実施の形態７に係る支持ユニット２０ａの構成要素を説明する分解斜視図。
【図５７】実施の形態７に係る支持ユニット２０ａの構造を説明する部分断面図。
【図５８】実施の形態８に係る照明具１の斜視。
【図５９】実施の形態８に係る照明具１の左側面図と正面図と右側面図と背面図。
【図６０】実施の形態８に係る照明具１の底面図と平面図。
【図６１】実施の形態８に係る照明具１の構成要素を説明する分解斜視図。
【図６２】実施の形態８に係る照明具１の構成要素を説明する分解斜視図。
【図６３】実施の形態８に係る連結蓋７００を説明する斜視図。
【図６４】実施の形態８に係る連結蓋７００正面図と底面図と平面図。
【図６５】実施の形態８に係る配線構造を説明する図。
【図６６】実施の形態８に係る通気構造を説明する図。
【発明を実施するための形態】
【００１３】
以下、本発明の実施の形態について、図を用いて説明する。なお、以下に説明する実施の形態によって本発明が限定されるものではない。以下に説明する実施の形態は、本質的に好ましい例示であって、本発明、その適用物および用途の範囲を制限することを意図するものではなく、必要に応じて種々の変更が可能である。
【００１４】
また、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、部品等の配置や向き等を限定するものではない。
【００１５】
また、各図中、同一又は相当する部分には、同一符号を付している。実施の形態の説明において、同一又は相当する部分については、その説明を適宜省略又は簡略化する。
【００１６】
実施の形態１．
＊＊＊構成の説明＊＊＊
＜＜＜照明具１＞＞＞
実施の形態１の照明具１について、図１から図１５を用いて説明する。
照明具１は、光源ユニット１０と、光源ユニット１０を支持固定する支持ユニット２０とを有している。
【００１７】
＜＜光源ユニット１０＞＞
光源ユニット１０は、本体部１００と、発光部１２０と、カバー１３０とを有している。
また、光源ユニット１０は、第１端部蓋１４０と、第２端部蓋１５０とを有している。
【００１８】
＜本体部１００＞
本体部１００は、筒形に形成されており、アルミニウムを使用し、押出し成形によって一体製造され、ヒートシンクとして機能する。
本体部１００は、外周側表面に外周面１１０を有し、内周側表面に内周面１０３を有する。
本体部１００には、外周面１１０に前記発光部１２０が配置される取付部１０２と、取付部１０２に対向した内周面１０３に発光部１２０が発する動作熱を放散させる熱放散部１０５とが形成されている。
【００１９】
本体部１００は、熱伝達経路あるいは熱伝達部となる筒部１０１を有する。筒部１０１は十六角柱で、中心軸Ｏと直交する断面における外接円の径寸法が均一の管体である。
筒部１０１は、外周面１１０に取付部１０２を有する。取付部１０２は、発光部１２０が配置される取付面として機能する。
筒部１０１は、内周面１０３に熱放散部１０５を有する。熱放散部１０５は、内周面１０３から突設された突設部であり、熱放散部１０５は、複数の放熱フィン１０８からなる。
筒部１０１には、筒端部として端部１０４がある。
熱放散部１０５である複数の放熱フィン１０８は、本体部１００の内周面１０３から本体部１００の内部空間側に立設されており、本体部１００の中心軸方向における一方の端部１０４から他方の端部１０４に渡って立設されている。複数の放熱フィン１０８は、本体部１００の厚さ寸法以上の高さで立設され、本体部１００と一体的に形成されている。
【００２０】
端部１０４には、ネジ孔１０６がある。ネジ孔１０６には、第１端部蓋１４０、第２端部蓋１５０、支持ユニット２０を取り付けるためのネジ１７０、ネジ５０がねじ込まれる。
【００２１】
本体部１００の内部には、内部空間１０７が形成されている。内部空間１０７は、熱交換部として機能し、空気の流路となる。内部空間１０７は、筒部１０１の内側の空間全体をいう。中心軸Ｏと直交する断面において、内部空間１０７の径寸法は筒部１０１の内径寸法と同じ大きさである。
【００２２】
内部空間１０７の中央には、通気空間１０９が存在する。本実施の形態における通気空間１０９は、内部空間１０７の中央にあり、熱放散部１０５が形成されていない筒状の空間であり、中心軸Ｏの方向への通気に対して障害物が全くない空間をいう。通気空間１０９は内部空間１０７の一部であり、通気空間１０９を他の空間から区画する境界物あるいは隔壁は存在しない。
【００２３】
＜発光部１２０＞
発光部１２０は、発光素子１２１と基板１２２とを有している。
発光素子１２１の好適な具体例は、固体発光素子、発光ダイオード素子、有機ＥＬ素子、レーザダイオード素子である。
基板１２２は、リジット基板でもよいし、フレキシブル基板でもよい。基板１２２の好適な具体例は、アルミニウム基材の基板であるが、基材として他の材質が選択されてもよい。
【００２４】
＜カバー１３０＞
カバー１３０は、発光素子１２１を覆うように、かつ、発光素子１２１と離間して本体部１００の外側に配置されている。カバー１３０の中心軸と本体部１００の中心軸とは、同じ中心軸Ｏに配置されている。
【００２５】
カバー１３０は、中心軸Ｏと直交する断面における直径が均一の管体であり、パイプ形状の透光性の筒管である。カバー１３０の好適な具体例は、ガラス管、樹脂管であるが、他の材質が選択されて形成されてもよい。
カバー１３０は、管体の主部となる透光部１３１を有する。
カバー１３０は、外周面１３２と、内周面１３３と、筒端部に端部１３４を有する。
発光素子１２１が実装された基板１２２とカバー１３０との間には、筒状の点灯空間１３７が形成されている。
カバー１３０は、基板１２２および本体部１００の外周面１１０と干渉しなければ、中心軸Ｏと直交する断面の形状は限定されない。また、カバー１３０は、基板１２２および本体部１００の外周面１１０と干渉しなければ、中心軸Ｏの方向において部分的に断面形状又は寸法が異なる態様であってもよい。
【００２６】
＜第１端部蓋１４０＞
第１端部蓋１４０は、本体部１００（筒部１０１）の一端部およびカバーの一端部１３４を覆うように本体部１００に取り付けられている。
第１端部蓋１４０は、本体部１００（筒部１０１）とカバー１３０との一端部を覆う蓋であり、第１キャップとして機能する。
第１端部蓋１４０の好適な具体例は、アルミニウムであるが、他の材質が選択されてよい。
【００２７】
第１端部蓋１４０は、主部となる円環部１４１を有している。円環部１４１は、ドーナツ形状をしている。図１４、図１５に示すように、円環部１４１は、外縁にカバー１３０の端部１３４を覆う環状庇１４９を有している。
第１端部蓋１４０は、図１４、図１５に示すように、第１ガスケット１６０を配置する環状の溝部１４２を有する。溝部１４２は第１ガスケット配置部として機能する。ガスケットとは、構造に気密性、液密性を持たせるために用いる固定用シール材である。ガスケットの好適な例はゴムリング又はゴムシート又は樹脂リングである。
第１ガスケット１６０の径は、カバー１３０の径と同じであり、第１ガスケット１６０は、カバー１３０の端部１３４と全周で密着する。
【００２８】
第１端部蓋１４０には、橋部１４４がある。橋部１４４は、円環部１４１の中央の空間を横切るブリッジである。橋部１４４は、中心軸Ｏまで幅の大きい幅太橋１４７と幅の小さい幅細橋１４８を有する。
第１端部蓋１４０は、橋部１４４の両側に２個の半円形状の通気口１４６を形成している。通気口１４６は、本体部１００の内部空間１０７と外部空間とを連通させる開口である。
第１端部蓋１４０は、９０度間隔で配置された４個のネジ孔１４３を有する。ネジ孔１４３には、第１端部蓋１４０を取り付けるためのネジ１７０がねじ込まれる。
【００２９】
＜第２端部蓋１５０＞
第２端部蓋１５０は、本体部１００（筒部１０１）の他端部およびカバーの他端部１３４を覆うように本体部１００に取り付けられている。
第２端部蓋１５０は、本体部１００（筒部１０１）とカバー１３０との他端部を覆う蓋であり、第２キャップとして機能する。
第２端部蓋１５０の好適な具体例は、アルミニウムであるが、他の材質が選択されてよい。
【００３０】
第２端部蓋１５０は、第１端部蓋１４０と同様に、円環部１５１、溝部１５２、ネジ孔１５３、橋部１５４を有し、橋部１５４の両側に２個の半円形状の通気口１５６を形成している。
橋部１５４は、幅の大きい幅太橋１５７と幅の小さい幅細橋１５８を有している。
【００３１】
第２端部蓋１５０は、貫通孔１５５を有する。貫通孔１５５は、溝部１５２より内側に形成されている。貫通孔１５５は、配線部材３０を通す通線孔であり、かつ、点灯空間１３７と外部空間とを連通させる通気孔である。
【００３２】
＜＜支持ユニット２０＞＞
支持ユニット２０は、発光素子１２１を点灯させる点灯電力を外部から受電する受電端２００が取り付けられており、受電端２００から発光素子１２１が実装された基板１２２に点灯電力を伝達する配線部材３０を配置する配線経路が形成されている。
支持ユニット２０は、受電端２００と、支持体２１０と、連結部２３０と、第２ガスケット２５０とを有している。
支持ユニット２０は、ネジ２６０によって、支持体２１０、第２ガスケット２５０、及び、連結部２３０が一体化された構造体となる。
【００３３】
＜受電端２００＞
受電端２００は、口金であり、口金筐体２０１と、アイレット２０２とを有している。
【００３４】
＜支持体２１０＞
支持体２１０は、絶縁部であり、本実施の形態では樹脂材料を用いて製造される。これによって、支持ユニット２０の軽量化が可能である。
支持体２１０は、筒形状の支持筒部２１２を有する。
支持筒部２１２の第１端部２１６は、口金側端部であり、口金筐体２０１が嵌めこまれる螺合部２１１を有している。
支持筒部２１２の第２端部２１７は、連結部側端部であり、支持鍔部２１３を有している。支持鍔部２１３は、環状形状をしており、連結部２３０を連結する連結部取付部として機能する。
支持鍔部２１３は、９０度間隔で配置された４個のネジ孔２１４を有する。ネジ孔２１４には、連結部２３０を取り付けるためのネジ２６０がねじ込まれる。
支持鍔部２１３は、第２ガスケット２５０を配置する溝部２１５を有する。支持鍔部２１３は、第２ガスケット配置部として機能する。
支持体２１０は、照明具１が照明器具のソケットに取り付けられた状態で、汎用のガスケット（防水パッキン）を装着可能であり、受電端２００が充分に密閉できる外形と寸法を有する。
支持体２１０は、絶縁材料であるセラミックを用いて製造されてもよいし、複数の絶縁材料が混合された混合絶縁材料を用いて製造されてもよい。また、支持体２１０は、絶縁性が維持されていれば、熱伝導性のフィラーなどを混合した材料を用いて製造されてもよい。
【００３５】
＜連結部２３０＞
連結部２３０は、光源ユニット１０と支持ユニット２０とを両端部に連結して固定する。
連結部２３０は、光源ユニット１０から発生する熱を照明具１の外部へ伝達する熱放散経路として機能する。
【００３６】
連結部２３０の第１端部２３８は、支持体側端部であり、連結筒部２３１を有する。連結筒部２３１には、支持体２１０を覆う蓋２４７があり、蓋２４７の中央に配線部材３０を通す配線穴２４８が形成されている。
連結筒部２３１の蓋２４７の周囲には連結鍔部２３２が形成されている。連結鍔部２３２は、支持体２１０と連結される支持体取付部として機能する。
【００３７】
連結部２３０の第２端部２３９は、光源ユニット側端部であり、光源ユニット１０と連結される円環部２３３を有する。
円環部２３３は、光源ユニット支持部として機能する。
円環部２３３は、９０度間隔で配置された４個のネジ孔２３４を有する。ネジ孔２３４には、支持ユニット２０を光源ユニット１０に取り付けるためのネジ５０がねじ込まれる。
【００３８】
円環部２３３は、第２端部蓋１５０に対応した形状をしている。
円環部２３３には、十字形状の４個のブリッジが形成されている。ブリッジは、円環部１４１の中央を横切っており、円環部２３３の中央には４個の扇形状の通気口２４６が形成されている。
【００３９】
ブリッジの一つは、幅太ブリッジ２４１であり、残り３つは幅細ブリッジ２４２である。幅太ブリッジ２４１は、幅太橋１５７と同じ幅を有し、幅太ブリッジ２４１に中央に長尺の溝部２３７を有する。溝部２３７には、長尺楕円状の第３ガスケット４０が配置され、第３ガスケット４０の内側には配線部材３０が配置される。溝部２３７は、第３ガスケット配置部として機能し、かつ、電線対配置部として機能する。第３ガスケット４０は、光源ユニット１０と支持ユニット２０との間に形成された配線経路を液密に封止する。
【００４０】
連結筒部２３１と円環部２３３とは、突設部２３５により結合されている。
突設部２３５は、中心軸Ｏから十字形状に配置された４枚の放熱板２４０からなる。４枚の放熱板２４０は矩形又は正方形であり、中心軸Ｏと平行にかつ中心軸Ｏから放射状に９０度間隔で配置されている。
突設部２３５には、４枚の放熱板２４０により区切られた４個の突設空間２４９が存在している。突設空間２４９は、円柱を４分の１にした形状であり、突設空間２４９の一端は内部空間１０７と直結しており、突設空間２４９の外周は外気と直結している。突設空間２４９は、内部空間１０７を延長した空間であり、突設空間２４９と内部空間１０７との径は同じである。突設空間２４９と内部空間１０７とは連続しており十字形状の４個のブリッジを除き障害物がないから、突設空間２４９と内部空間１０７とは大気が自由に通過できる。
【００４１】
放熱板２４０の中心軸方向の一端は、円環部２３３の４個のブリッジに結合されている。
放熱板２４０の中心軸方向の他端は、蓋２４７に結合されている。
円環部２３３の十字形状の４個のブリッジは突設部２３５の端部に形成されており、４個のブリッジと４枚の放熱板２４０とは連続している。
本体部１００から伝達されてきた熱は円環部２３３と４個のブリッジに伝わり、さらには、突設部２３５に伝わり、４枚の放熱板２４０から外気に放熱される。本体部１００、円環部２３３、突設部２３５は熱放散経路としての機能を有する。
突設部２３５の中央では、４枚の放熱板２４０が接合されており、中心軸Ｏには配線部材３０を通す挿通部２３６が形成されている。挿通部２３６は、電線対配置部として機能する。
【００４２】
＜＜配線経路＞＞
照明具１の外部から受電し発光素子１２１を点灯させる点灯電力は、受電端２００と発光素子１２１が実装された基板１２２とを電気的に接続している配線部材３０により供給される。配線部材３０が照明具１の外部に露出しないように、支持ユニット２０の内部に配線経路が形成されている。
配線経路とは、第２端部蓋１５０の貫通孔１５５、支持体２１０の溝部２３７と第３ガスケット４０、突設部２３５の挿通部２３６、連結筒部２３１の配線穴２４８である。
第２端部蓋１５０の貫通孔１５５は、支持体２１０の溝部２３７と第３ガスケット４０の一端に位置している。突設部２３５の挿通部２３６は、支持体２１０の溝部２３７と第３ガスケット４０の他端に位置している。突設部２３５の挿通部２３６と連結筒部２３１の配線穴２４８とは中心軸Ｏに位置している。その結果、配線経路は、クランク形状に形成されている。
【００４３】
＜＜内部構造＞＞
図１３を用いて、光源ユニット１０の内部構造について説明する。
本体部１００は十六角柱であり、１６個の取付部１０２を有し、１６個の実装面を有した基板１２２が取り付けられている。基板１２２の各面には、それぞれ１０個の発光素子１２１が１列に中心軸Ｏに沿って配列されている。
【００４４】
＜ネジ孔１０６＞
本体部１００の端部１０４の内周面１０３には、複数の放熱フィン１０８の間に４５度間隔で配置された８個のネジ孔１０６がある。ネジ孔１０６は、すべて本体部１００の強度を増すために、十六角柱の本体部１００の角部分の裏側に形成されている。ネジ孔１０６は、内部空間１０７に向かって開口されたＣ字形状をしており、放熱しやすい構成、および、通気しやすい構成になっている。ネジ孔１０６の中心軸方向の長さは、ネジ長以下である。
【００４５】
９０度間隔で配置された４個のネジ孔１０６には、第１端部蓋１４０又は第２端部蓋１５０を取り付けるためのネジ１７０がねじ込まれる。
９０度間隔で配置された他の４個のネジ孔１０６には、支持ユニット２０を取り付けるためのネジ５０がねじ込まれる。ネジ５０は、支持鍔部２１３のネジ孔２１４から挿入され、第２端部蓋１５０の円環部１５１を間に挟んで、支持鍔部２１３を本体部１００に固定する。
【００４６】
＜放熱フィン１０８＞
本体部１００（筒部１０１）の内周面１０３には、熱放散部１０５として１６枚の放熱フィン１０８がある。
放熱フィン１０８は、すべて発光素子１２１の裏側に立設されている。
放熱フィン１０８は、本体部１００（筒部１０１）の一方の端部１０４から他方の端部１０４に渡って形成された厚さ均一の矩形の板である。
複数の放熱フィン１０８は、すべて形状、厚さ、高さが同じである。
【００４７】
複数の放熱フィン１０８は、すべて本体部１００（筒部１０１）の中心軸Ｏと平行に配列されている。
複数の放熱フィン１０８は、すべて本体部１００（筒部１０１）の中心軸に向けて中心軸の途中までの高さで立設されている。
複数の放熱フィン１０８は、すべて本体部１００（筒部１０１）と一体成形されており、本体部１００（筒部１０１）の内周面１０３のみに固定されている。
複数の放熱フィン１０８は、いずれも他の放熱フィンと連結されていない。
本体部１００（筒部１０１）の中央には複数の放熱フィン１０８が全く存在しない通気空間１０９が存在する。
【００４８】
＜寸法関係＞
図６、図９、図１０、図１３により、部品の寸法関係を説明する。
図６、図９、図１０、図１３において、記号の意味は以下のとおりである。なお、本体部１００は十六角柱であるが、以下では円柱であるとみなしている。また、以下の長さとは中心軸方向の長さである。また、以下の記載で、「Ａ〜Ｂ」は、Ａ以上Ｂ以下を意味する。
【００４９】
Ｌ１＝照明具１の長さ
Ｌ２＝光源ユニット１０の長さ
Ｌ３＝連結部２３０の長さ
Ｌ４＝支持体２１０の支持筒部２１２の長さ
Ｌ５＝受電端２００の長さ
Ｌ６＝基板１２２の長さ
Ｌ７＝本体部１００の長さ＝カバー１３０の長さ
【００５０】
寸法の関係は以下のとおりである。
Ｌ１＝Ｌ２＋Ｌ３＋Ｌ４＋Ｌ５
Ｌ６＜Ｌ７
【００５１】
Ｗ１＝光源ユニット１０の外周径＝第１端部蓋１４０の外周径＝第２端部蓋１５０の外周径
Ｗ２＝連結部２３０の最大外周径
Ｗ３＝支持体２１０の最大外周径
Ｗ４＝支持筒部２１２の外周径
Ｗ５＝受電端２００の外周径
Ｗ６＝カバー１３０の外周径
Ｗ７＝本体部１００の外周径
Ｗ８＝第１端部蓋１４０の内周径＝第２端部蓋１５０の内周径
Ｗ９＝カバー１３０の内周径
Ｗ１０＝本体部１００の内周径
Ｗ１１＝発光素子１２１の頂部の最大間隔
Ｔ＝放熱フィン１０８の高さ
θ＝放熱フィン１０８の中心角＝２２．５度
【００５２】
寸法の関係は以下のとおりである。
Ｗ５＜Ｗ４＜Ｗ３＜Ｗ２
Ｗ８＝Ｗ１０＜Ｗ７＜Ｗ１１＜Ｗ９＜Ｗ６＜Ｗ１
Ｔ＝Ｗ１０／６、又は、Ｔ≒Ｗ１０／６
【００５３】
本体部１００とカバー１３０とは、径が異なる（Ｗ１０＜Ｗ９、Ｗ７＜Ｗ６）が、長さはともにＬ７で同じである。
本体部１００の外周径Ｗ７とカバー１３０の外周径Ｗ６との好適な比は、７：９（７．７：１０）であるが、６：１０〜９：１０でもよい。
カバー１３０に対して本体部１００が近づくほど本体部１００の内部空間１０７が大きくなり、放熱の観点からは、本体部１００とカバー１３０との外周径の比は大きい方が望ましく、８：１０あるいは９：１０がより好ましい。
【００５４】
本体部１００の内周径Ｗ１０と長さＬ７の好適な比は、２：３であるが、１：３〜４：３でもよい。
放熱の観点からは、本体部１００の内周径Ｗ１０と長さＬ７の比は大きい方が望ましく、３：３あるいは４：３がより好ましい。
さらに好ましくは、本体部１００形状と大きさは、従来用いられていたランプに合わせたものであるとよい。
【００５５】
連結部２３０の長さＬ３と光源ユニット１０の長さＬ２との好適な比は、１：３であるが、０．５：３〜２：３でもよい。連結部２３０の長さＬ３は、内部空間１０７の空気が支障なく突設空間２４９に流れること、および、突設部２３５から突設空間２４９に支障なく放熱できることが満足できればよく、短かすぎると通気性と放熱性とが悪くなるので、０．５：３より大きい方がよい。通気性と放熱性とのためには、１：３〜２：３がより好ましい。
【００５６】
支持体２１０の外周径Ｗ３と連結部２３０の外周径Ｗ２との好適な比は、３：４であるが、１：４〜３：４でもよい。支持体２１０の外周径Ｗ３が小さいほど、内部空間１０７の空気が支障なく流れるので、３：４より小さい方がよく、２：４、さらには、１：４がよりよい。
あるいは、支持体２１０の外周径Ｗ３が受電端２００の外周径Ｗ５と同じであれば好ましい。
【００５７】
第１端部蓋１４０の内周径と第２端部蓋１５０の内周径はともにＷ８で同じである。また、本体部１００の内周径Ｗ１０は、第１端部蓋１４０の内周径Ｗ８と第２端部蓋１５０の内周径Ｗ８と同じである（Ｗ８＝Ｗ１０）。したがって、第１端部蓋１４０の内周と第２端部蓋１５０の内周が本体部１００の内部空間１０７の通気を遮ることはない。
【００５８】
放熱フィン１０８の高さＴは、本体部１００の内周径Ｗ１０の５分の１が好適であるが、本体部１００の内周径Ｗ１０の８分の１から３分の１の範囲でもよい。
【００５９】
＊＊＊実施の形態の効果の説明＊＊＊
図１６〜図１８を参照して本実施の形態の効果を説明する。
図１６は、中心軸Ｏが略水平方向と沿う状態で照明具１を点灯させた場合の気流の様子を模式的に示した図である。
【００６０】
上述の通り、本実施の形態の光源ユニット１０において、発光部１２０の発光素子１２１が発する動作熱は、取付部１０２から筒部１０１を介して内周面１０３又は熱放散部１０５の放熱フィン１０８に伝達され、内周面１０３又は熱放散部１０５の放熱フィン１０８から内部空間１０７を満たしている気体（空気）に放散される。本体部１００から放散された熱によって暖められた内部空間１０７を満たしている気体（空気）は熱膨張して軽くなり、図１６における本体部１００の両端部１０４の上方に向かって移動し、両端部１０４の外側上方へ流出する。そして、外部空間を満たし暖められていない気体（空気）は、図１６における本体部１００の両端部１０４の下方を経由して内部空間１０７に流入する。
【００６１】
つまり、中心軸Ｏが略水平方向と沿う状態で照明具１を点灯させた場合は、両端部１０４の下方から内部空間１０７に流入して両端部１０４の上方から流出する大きく２つの気流が発生するので効率的な熱交換を行うことができる。このように、照明具１は簡単な構成で効率的に冷却することができ、長時間にわたって点灯動作が継続された場合であっても品質と性能を維持することができる。
【００６２】
図１７は、受電端２００を下方に向け中心軸Ｏが略鉛直方向と沿う状態で照明具１を点灯させた場合の気流の様子を模式的に示した図である。
【００６３】
上述の通り、本実施の形態の光源ユニット１０において、発光部１２０の発光素子１２１が発する動作熱は、取付部１０２から筒部１０１を介して内周面１０３又は熱放散部１０５の放熱フィン１０８に伝達され、内周面１０３又は熱放散部１０５の放熱フィン１０８から内部空間１０７を満たしている気体（空気）に放散される。
【００６４】
本体部１００から放散された熱によって暖められた内部空間１０７を満たしている気体（空気）は熱膨張して軽くなり、図１７における本体部１００の上側の端部１０４に向かって移動し、本体部１００の外側上方へ流出する。そして、外部空間を満たし暖められていない気体（空気）は、図１７における本体部１００の下側の端部１０４の下方を経由して内部空間１０７に流入する。
【００６５】
図１８は、受電端２００を上方に向け中心軸Ｏが略鉛直方向と沿う状態で照明具１を点灯させた場合の気流の様子を模式的に示した図である。
【００６６】
上述の通り、本実施の形態の光源ユニット１０において、発光部１２０の発光素子１２１が発する動作熱は、取付部１０２から筒部１０１を介して内周面１０３又は熱放散部１０５の放熱フィン１０８に伝達され、内周面１０３又は熱放散部１０５の放熱フィン１０８から内部空間１０７を満たしている気体（空気）に放散される。
【００６７】
本体部１００から放散された熱によって暖められた内部空間１０７を満たしている気体（空気）は熱膨張して軽くなり、図１８における本体部１００の上側の端部１０４に向かって移動し、本体部１００の外側上方へ流出する。そして、外部空間を満たし暖められていない気体（空気）は、図１８における本体部１００の下側の端部１０４の下方を経由して内部空間１０７に流入する。
【００６８】
上記のとおり、図１７又は図１８に示したような状態で照明具１を点灯させた場合、本体部１００から放散された熱によって暖められた内部空間１０７を満たしている気体（空気）は順次上方へ移動しながら、外部空間を満たし暖められていない気体（空気）は下方から上方に向かって順次供給される。
【００６９】
つまり、中心軸Ｏが略鉛直方向と沿う状態で照明具１を点灯させた場合は、暖められていない気体（空気）が下方の端部１０４から内部空間１０７に継続して流入し、流入した気体（空気）は内部空間１０７で暖められながら内部空間１０７を上方に移動し、内部空間１０７で暖められた気体（空気）は上方の端部１０４から外部空間に継続して流出する。ドラフト効果（通気力、煙突効果ともいう）による定常的な気流が発生するので効率的な熱交換を行うことができる。このように、照明具１は簡単な構成で効率的に冷却することができ、長時間にわたって点灯動作が継続された場合であっても品質と性能を維持することができる。
【００７０】
図１７又は図１８に示したようなドラフト効果を得る環境では一般に式１の関係がある。
Ｑ＝Ｃ＊Ａ＊√（２ｇ＊Ｈ＊（Ｔｉ−Ｔｏ）／Ｔｉ）・・・（式１）
Ｑ：ドラフト効果による給気速度［ｍ３・ｇ−１］
Ｃ：流量係数
Ａ：内部空間１０７の断面積［ｍ２］
ｇ：重力加速度［９．８０６６５ｍ・ｓ−２］
Ｈ：内部空間１０７の長さ寸法［ｍ］
Ｔｏ：外部空間の気体（空気）の温度［Ｋ］
Ｔｉ：内部空間１０７の気体（空気）の平均温度［Ｋ］
【００７１】
本実施の形態において、
Ａ≒π＊（（本体部１００の内周径Ｗ１０）／２）２
Ｈ≒光源ユニット１０の長さＬ２≒本体部１００の長さＬ７
であり、本体部１００の外形寸法（内周径Ｗ１０、長さＬ７）を、発光素子１２１の動作温度に対応づけられた内部空間１０７の気体（空気）の平均温度が所定値を超えないように決定する。
【００７２】
＊＊＊製造方法＊＊＊
照明具１の製造方法は以下のとおりである。
各部品は予め揃っているものとする。
【００７３】
本体部１００に発光部１２０を取り付ける。
発光部１２０の基板１２２に配線部材３０を半田付けする。
本体部１００の一端部に第１端部蓋１４０をネジ止めする。
第１端部蓋１４０の溝部１４２に第１ガスケット１６０を配置する。
本体部１００をカバー１３０に挿入してカバー１３０の一端部を第１ガスケット１６０に当てる。
別な第１ガスケット１６０をカバー１３０の他端部に当てて、第２端部蓋１５０の貫通孔１５５に配線部材３０を通し、本体部１００の他端部に第２端部蓋１５０をネジ止めする。
この時点で、光源ユニット１０が完成する。
【００７４】
第１端部蓋１４０と第２端部蓋１５０との取り付けは、順番が逆でもよい。
【００７５】
配線部材３０を、第３ガスケット４０に通し、突設部２３５の挿通部２３６に通す。
第３ガスケット４０を連結部２３０の溝部２３７に配置して、本体部１００の他端部に連結部２３０をネジ止めする。
配線部材３０を第２ガスケット２５０と連結筒部２３１の配線穴２４８に通す。
第２ガスケット２５０を間に挟んで、連結部２３０に支持体２１０をネジ止めする。
配線部材３０を受電端２００に半田付けし、受電端２００を支持体２１０にねじ込んで固定する。
この時点で、照明具１が完成する。
【００７６】
＜照明具１の構成＞
以上のように、この実施の形態１の照明具１は、下記を含んで構成される。（１）熱源としての発光部１２０（発光素子１２１）
（２）熱伝達経路としての本体部１００（筒部１０１）
（３）熱放散経路としての本体部１００（筒部１０１）と連結部２３０（円環部２３３）（４）放熱部としての熱放散部１０５（放熱フィン１０８）と連結部２３０（突設部２３５）
（５）通気経路としての内部空間１０７（通気空間１０９）と突設空間２４９
【００７７】
また、照明具１は、照明器具のソケットに取り付けられた状態で光源ユニット１０を支持する支持ユニット２０を含んで構成される。
支持ユニット２０は、外部空間から光源ユニット１０の内部空間１０７への給気、又は光源ユニット１０の内部空間１０７から外部空間への排気を妨げることなく、光源ユニット１０のソケットへの取り付けが可能である。
【００７８】
＜ヒートシンクの構成＞
また、この実施の形態１の本体部１００は、ヒートシンクとして機能させるため以下の構成を採用している。
（１）筒部１０１を中空の直管で形成して、内部空間１０７の中心軸方向の通気を最大にするために、内部空間１０７には熱放散部１０５以外に障害物を設置していない。
（２）熱放散部１０５は、中心軸方向の通気を妨げないようにするため、すべて中心軸方向と平行に薄板状に配置されている。
（３）熱放散部１０５は内周面１０３から中心軸Ｏに向かって中心軸Ｏ途中まで立設され、内部空間１０７の中央には、熱放散部１０５が存在しない円柱状の通気空間１０９があり、空気の自由通路を提供している。通気空間１０９があるので、照明具１が横置きされても、空気が上方向に移動しやすい。
（４）熱放散部１０５は、すべての発光素子１２１の裏側に存在している。
すなわち、１列に配列された複数の発光素子１２１に対応して、放熱フィン１０８が存在している。
（５）本体部１００は金属製で一体成形されている。
【００７９】
＊＊＊他の構成＊＊＊
＜本体部１００の他の構成＞
本体部１００の端部１０４の内周にあるネジ孔１０６は、外周に配置してもよい。ネジ孔１０６が本体部１００の外周にあれば、通気性が向上する。
【００８０】
本体部１００の一端には支持ユニット２０が取り付けられないので、支持ユニット２０が取り付けられない本体部１００の端部１０４には、支持ユニット２０を取り付けるための４個のネジ孔１０６はなくてもよい。４個のネジ孔１０６がなくなれば通気性が向上する。
【００８１】
本体部１００は、通気性の観点からは円柱であることが望ましい。本体部１００は、楕円柱であってもよい。
本体部１００が角柱である場合は、十六角柱でなくてもよく、多角柱であればよい。円柱に近い方が望ましく、六角柱以上あるいは八角柱以上あるいは一二角柱さらには二十角柱以上であることが望ましい。
【００８２】
図１９に、本体部１００の他の形状を示す。
（ａ）のとおり、本体部１００の片方の端部に予め鍔１１１を形成してもよい。鍔１１１は、カバー１３０の端部を押えるものであり、カバー１３０との一端部を覆う第１キャップ又は第２キャップとして機能する。鍔１１１が片方あることにより、第１端部蓋１４０又は第２端部蓋１５０を省略することができる。
（ｂ）のとおり、本体部１００の両方の端部に予め鍔１１１を形成してもよい。カバー１３０は、鍔１１１の外周に固定される。
鍔１１１が両端部あることにより、第１端部蓋１４０と第２端部蓋１５０の両方を省略することができる。
（ｃ）のとおり、本体部１００の厚さは厚さが均一でなくてもよく、両端部が薄く中央に向かって厚くなるようにしてもよい。
（ｄ）のとおり、本体部１００は直管ではなく、円錐台形状又はラッパ形状でもよい。カバー１３０の形状は、円筒形状でもよいし、円錐台形状又はラッパ形状でもよい。
【００８３】
＜放熱フィン１０８の他の構成＞
図２０に、放熱フィン１０８の他の形状を示す。
（ａ）のとおり、放熱フィン１０８は、両サイドがカットされた台形形状をしていてもよい。両サイドにおいて通気性が向上する。
（ｂ）のとおり、放熱フィン１０８は、両サイドがカットされた三角形状又は山形形状をしていてもよい。両サイドにおいて通気性が向上する。
（ｃ）のとおり、放熱フィン１０８は、途中に通気穴１１２があってもよい。通気穴１１２により通気性が向上する。
（ｄ）のとおり、放熱フィン１０８は、途中にスリット１１３があってもよい。スリット１１３により通気性が向上する。
（ｅ）のとおり、放熱フィン１０８は、厚さが均一でなくてもよく、根本が厚く先端に行くにしたがって細くなっていてもよい。また、放熱フィン１０８は、高さが均一でなくてもよい。
また、放熱フィン１０８は、十六枚以上存在していてもよい。
また、放熱フィン１０８は、本体部１００の基板１２２のない外周面に存在していてもよい。
【００８４】
＜第１端部蓋１４０の他の構成＞
本体部１００の一端には支持ユニット２０が取り付けられないので、支持ユニット２０が取り付けられない第１端部蓋１４０には、橋部１４４はなくてもよい。橋部１４４がなくなれば通気性が向上する。
あるいは、第１端部蓋１４０に橋部１４４を設ける場合でも、幅太橋１４７を設ける必要はなく幅細橋１４８だけを設ければよい。
また、第１端部蓋１４０の通気口１４６に、異物の侵入を防止する網又はネットを設けてもよい。
また、第１端部蓋１４０に第２端部蓋１５０の貫通孔１５５を設けてもよい。第１端部蓋１４０に貫通孔１５５を設ければ、第１端部蓋１４０と第２端部蓋１５０とは全く同一部品になり部品点数が減少する。
【００８５】
＜点灯空間１３７の他の構成＞
基板１２２とカバー１３０との間の点灯空間１３７に放熱を促進する透明シリコーン樹脂を充填してもよい。点灯空間１３７は狭いので、重量を大幅に増加させずにカバー１３０からの放熱を促進できる。
【００８６】
＜連結部２３０の他の構成＞
【００８７】
連結部２３０に円環部２３３を複数設け、１つの連結部２３０に対して複数の光源ユニット１０を取り付けてもよい。
たとえば、連結部２３０に４本の腕木を９０度間隔で設けて、４本の腕木の各端部に円環部２３３を設け、４個の円環部２３３にそれぞれ１つの光源ユニット１０を取り付ける。こうして、一つの受電端２００を有する支持ユニット２０に対して４個の光源ユニット１０を取り付けることができ、シャンデリアタイプの照明具１を得ることができる。
あるいは、連結部２３０に１本のストレートの腕木を設けて、腕木の中央と右端部と左端部とに合計３個の円環部２３３を設け、支持ユニット２０に対して３個の光源ユニット１０を並列に取り付けてもよい。
【００８８】
突設部２３５の放熱板２４０は４枚ではなく、３枚、又は、２枚でもよい。突設部２３５の枚数が少ないほど通気性が向上する。
図２１に示すように、連結部２３０の突設部２３５を４枚の放熱板２４０ではなく、４本の柱、又は、４本のパイプで構成してもよい。突設部２３５が柱又はパイプであれば、中央が大きく開口するので通気性が向上する。
パイプの場合は、配線部材３０を通すことができ、橋部１４４が不要になり通気性がさらに向上する。
【００８９】
＜部品の構成＞
照明具１が照明器具のランプカバーにより覆われる場合は、カバー１３０はなくてもよい。カバー１３０がない場合は、第１端部蓋１４０と第２端部蓋１５０も不要になる。カバー１３０がなければ、本体部１００の外周面と基板１２２の表面とが露出するので本体部１００の外周面と基板１２２の表面とからの放熱性が向上する。
【００９０】
第２端部蓋１５０と支持体２１０とを一つの部品で構成してもよい。
支持体２１０と連結部２３０とを一つの部品で構成してもよい。
第２端部蓋１５０と支持体２１０と連結部２３０とを一つの部品で構成してもよい。
【００９１】
＜防水構造の構成＞
以下のよう構造で防水構造とすることができる。
（１）第１ガスケット１６０をリング状のゴムシートにして、第１ガスケット１６０に本体部１００とカバー１３０との両方の端部を密着させる。
（２）第２端部蓋１５０の貫通孔１５５に配線部材３０を通してから、貫通孔１５５をシリコーン接着剤で封止する。
以上の構造により、点灯空間１３７が密閉されることになり、光源ユニット１０が防水構造となる。
（３）支持体２１０と連結部２３０とを第３ガスケット４０に密着させ、貫通孔１５５から引き出された配線部材３０を第３ガスケット４０で密封する。
（４）配線部材３０は、連結部２３０の挿通部２３６に挿入されて支持体２１０の配線穴２４８を貫通しているので、支持体２１０の配線穴２４８をシリコーン接着剤で封止する。
（５）支持体２１０と受電端２００との防水構造、および、受電端２００とソケットとの防水構造は、既存の防水構造を採用する。
（６）支持体２１０は、照明具１が照明器具のソケットに取り付けられた状態で、汎用又は照明器具２に付属されているガスケット（防水パッキン）を装着可能であり、受電端２００が充分に密閉できる外形と寸法を有する。
【００９２】
実施の形態２．
本実施の形態について、主に実施の形態１との差異を説明する。
【００９３】
＜＜＜水平方向設置＞＞＞
図２２は、中心軸Ｏが略水平方向と沿う状態で照明具１が使用される道路用照明装置の例である。
【００９４】
＊＊＊構成の説明＊＊＊
照明装置１０００は、実施の形態１で説明した照明具１が取り付けられた照明器具２を有している。照明器具２は、ソケット１０１０とランプカバー１０１１とを有している。
照明装置１０００は、地面に立てられた支柱１００１を有している。支柱１００１の下部から、商用交流電源１０２０に接続された導入線１００２が引き込まれている。
支柱１００１の下部には、点灯装置１００４を配置した電源配置部１００３がある。点灯装置１００４は、導入線１００２から入力した交流電源を直流電源に変換して支柱内電線１００５に出力する。支柱内電線１００５は、ソケット１０１０に接続されている。
【００９５】
＜＜＜上向き設置＞＞＞
図２３は、受電端２００を下方に向け中心軸Ｏが略鉛直方向と沿う状態で照明具１が使用される街路用照明装置の例である。
【００９６】
＊＊＊構成の説明＊＊＊
照明装置１０００は、実施の形態１で説明した照明具１が取り付けられた照明器具２を有している。照明器具２は、ソケット１０１０とランプカバー１０１１とを有している。ソケット１０１０は、ソケット配置部１０１２に上向きに取り付けられている。
その他の構成は、図２２と同様なので、説明を省略する。
【００９７】
＜＜＜下向き設置＞＞＞
図２４は、受電端２００を上方に向け中心軸Ｏが略鉛直方向と沿う状態で照明具１が使用される高天井用照明装置の例である。
【００９８】
＊＊＊構成の説明＊＊＊
照明装置１０００は、実施の形態１で説明した照明具１が取り付けられた照明器具２を有している。照明器具２は、ソケット１０１０と笠１０１４とを有している。
ソケット１０１０は、ソケット配置部１０１２に下向きに取り付けられている。
照明器具２は天井５０００から吊下部１０１３により支柱１００１を介して吊り下げられている。
【００９９】
実施の形態３．
本実施の形態では、主に実施の形態１、２との差異を説明する。
＊＊＊構成の説明＊＊＊
図２５は、連結部２３０が異なる照明具１を示す図である。
図２５に示す照明具１の構成は、実施の形態１、２と同じであるが、連結部２３０の中心軸方向の高さが異なる。
【０１００】
図２５において、記号の意味は以下のとおりである。
Ｌ１＝照明具１の長さ
Ｌ２＝光源ユニット１０の長さ
Ｌ３＝連結部２３０の長さ
Ｌ８＝支持ユニット２０の長さ
ＴＫ＝放熱板２４０の中心軸方向の高さ
Ｙ＝放熱板２４０の半径方向の幅
寸法の関係は以下のとおりである。
Ｌ２＋Ｌ８＝Ｌ１
なお、以下の説明で、「Ｎ〜Ｍ」は、「Ｎ以上Ｍ以下」を意味している。
【０１０１】
図２５に示す照明具１は、連結部２３０を有する。
連結部２３０は、光源ユニット１０と連結される円環部２３３を有する。
図３、図４に示すように、円環部２３３は、第２端部蓋１５０と連結される。
円環部２３３は、複数の放熱板２４０に結合されたブリッジを有し、ブリッジにより形成された複数の扇形状の通気口２４６を有する。
【０１０２】
支持ユニット２０は、筒形状の支持体２１０を有する。
図３、図４に示すように、連結部２３０は、支持体２１０を覆う蓋２４７を有し、蓋２４７は、複数の放熱板２４０に結合されている。
【０１０３】
図２５に示す３個の照明具１の各照明具１は、高さが異なる３種の連結部２３０の中から選択された連結部を用いて製造されたものである。
３種の連結部２３０は、円環部２３３と蓋２４７との形状が同一で中心軸方向の高さが異なる複数種類の連結部である。
図２５では、光源ユニットの長さＬ２が同じであるが、連結部の長さＬ３が異なり支持ユニット２０の長さＬ８が異なるので、照明具１の長さＬ１も異なる。
【０１０４】
放熱板２４０は、実施の形態１では、矩形又は正方形であったが、図２５に示す３個の照明具１の放熱板２４０の中心軸方向の高さＴＫと放熱板２４０の半径方向の幅Ｙとの比は、以下のとおりである。
（ａ）中心軸方向の高さＴＫ：半径方向の幅Ｙ＝４：８
（ｂ）中心軸方向の高さＴＫ：半径方向の幅Ｙ＝３：８
（ｃ）中心軸方向の高さＴＫ：半径方向の幅Ｙ＝２：８
すなわち、中心軸方向の高さＴＫ：半径方向の幅Ｙとの比は、２：８〜４：８＝１：４〜２：４である。
中心軸方向の高さＴＫは、半径方向の幅Ｙの５０％以下であり、放熱板２４０の形状は、半径方向の幅Ｙが長辺の長さとなり、中心軸方向の高さＴＫが短辺の長さとなる矩形形状である。
【０１０５】
連結部の長さＬ３と光源ユニットの長さＬ２と比は、実施の形態１の図６では、１：３であったが、図２５に示す３個の照明具１の連結部の長さＬ３と光源ユニットの長さＬ２と比は、以下のとおりである。
（ａ）連結部の長さＬ３：光源ユニットの長さＬ２＝２．０：１０
（ｂ）連結部の長さＬ３：光源ユニットの長さＬ２＝１．５：１０
（ｃ）連結部の長さＬ３：光源ユニットの長さＬ２＝１．０：１０
すなわち、連結部の長さＬ３と光源ユニットの長さＬ２との比は、１：１０〜２：１０である。
この実施の形態３では、連結部の長さＬ３と光源ユニットの長さＬ２と比は、１：３（＝３．３：１０）よりも小さな値であり、連結部の長さＬ３が、光源ユニットの長さＬ２の２０％以下である。
【０１０６】
＊＊＊効果の説明＊＊＊
＜小型軽量化＞
連結部の長さＬ３が小さくなれば、照明具１全体の長さが小さくなる。
照明具１の長さが小さくなれば、結果として、照明具１の小型化、軽量化が図れる。
【０１０７】
＜振動対策＞
また、照明具１の長さが小さくなれば、照明装置に振動が加わった場合のソケットを中心にした照明具１の振動範囲（最大振幅）が小さくなり、照明具１と照明器具とが衝突して破損する可能性を低減することができる。
【０１０８】
＜器具適合率＞
連結部の長さＬ３が小さくなれば、照明具１全体の長さが小さくなり、照明具１は種々の形状の照明器具に適合できる。
【０１０９】
＊＊＊構成の説明＊＊＊
図２６は、光源ユニット１０と連結部２３０が異なる照明具１を示す図である。
図２６に示す照明具１の構成は、実施の形態１、２と同じであるが、光源ユニット１０と連結部２３０との中心軸方向の高さが異なる。
【０１１０】
図２６に示す３個の照明具１は、図２５に示した連結部と同じものである。
【０１１１】
光源ユニット１０は、筒部１０１の端部に第２端部蓋１５０を有する。
光源ユニット１０は、第２端部蓋１５０の形状が同一で中心軸方向の高さが異なる複数種類の光源ユニット１０の中から選択された光源ユニットである。
図２６では、光源ユニットの長さＬ２が異なり、連結部の長さＬ３も異なるが、光源ユニットの長さＬ２の増加だけ、連結部の長さＬ３が減少しており、照明具１の長さＬ１は同じである。
【０１１２】
連結部の長さＬ３と光源ユニットの長さＬ２と比は、実施の形態１の図６では、１：３であったが、図２６に示す３個の照明具１の連結部の長さＬ３と光源ユニットの長さＬ２と比は、以下のとおりである。
（ａ）連結部の長さＬ３：光源ユニットの長さＬ２＝２．５：１０．５
（ｂ）連結部の長さＬ３：光源ユニットの長さＬ２＝２．０：１１．０
（ｃ）連結部の長さＬ３：光源ユニットの長さＬ２＝１．５：１１．５
すなわち、連結部の長さＬ３と光源ユニットの長さＬ２との比は、１．５：１１．５〜２．５：１０．５である。
【０１１３】
光源ユニットの長さＬ２が長くなれば、光源素子の数を増やすことができる。
図２６における各列の光源素子の数は以下のとおりである。
（ａ）各列の光源素子の数＝１０個
（ｂ）各列の光源素子の数＝１１個
（ｃ）各列の光源素子の数＝１２個
【０１１４】
＊＊＊効果の説明＊＊＊
＜光量増加、光束増加＞
照明具１の長さＬ１は同じであっても、光源ユニットの長さＬ２の増加できるので、光量増加、光束増加が図れる。
図２６に示す例では、（ｂ）の照明具１は（ａ）の照明具１より１０％明るくなり、（ｃ）の照明具１は（ａ）の照明具１より２０％明るくなる。
【０１１５】
＜器具適合率＞
光量、光束に関係なく照明具１の長さＬ１は同じなので、光量、光束が異なる照明具１が種々の形状の照明器具に適合できる。
【０１１６】
＜飛散防止膜＞
＊＊＊構成の説明＊＊＊
図２７の（ａ）は、光源ユニット１０のカバー１３０に、飛散防止膜としてフッ素コーティング膜６１を施したものである。
図２７の（ｂ）は、光源ユニット１０のカバー１３０に、飛散防止膜として透光性フィルム６２を施したものである。
【０１１７】
＊＊＊効果の説明＊＊＊
カバー１３０にフッ素コーティング又はフィルム貼付を施すことにより、万が一カバー１３０が割れたり欠けたりした場合であってもカバー１３０の飛散を防止することができる。
特に、カバー１３０がガラス製の場合に、飛散防止膜を施すことが好ましい。
また、フッ素コーティング又はフィルム貼付が施されたカバー１３０の表面は汚れが付着しにくくなるので、照明具１は長期にわたって安定した光束値を維持できる。
なお、フッ素コーティングは、カバー１３０の外周表面に限らず、カバー１３０の内周表面に施されてもよく、カバー１３０の外周表面と内周表面とに施されてもよい。また、フッ素コーティング、およびフィルムは、光拡散剤が添加されたものであってもよい。
【０１１８】
＜飛散防止膜と光学特性＞
＊＊＊構成の説明＊＊＊
図２８の（ａ）は、光源ユニット１０のカバー１３０に、飛散防止膜として透光性テクスチャ付きフィルム６３を施したものである。テクスチャの具体例は、しわ模様、しぼ模様、凹凸模様、あるいは、縞模様である。
図２８の（ｂ）は、光源ユニット１０のカバー１３０に、飛散防止膜として透光性カラーフィルム６４を施したものである。
透光性テクスチャ付きフィルム６３、および透光性カラーフィルム６４は、光拡散剤が添加されたものであってもよい。
【０１１９】
＊＊＊効果の説明＊＊＊
カバー１３０にフィルム貼付をすることにより、万が一カバー１３０が割れたり欠けたりした場合であってもカバー１３０の飛散を防止することができる。
さらに、テクスチャ付きフィルム又はカラーフィルムは光を通過させる際に、光学特性を変化させるので、設置環境の雰囲気に適合した照明具１を提供することができる。
【０１２０】
＜材料の他の例＞
本体部１００、第１端部蓋１４０、第２端部蓋１５０はアルミニウム製に限らず、マグネシウム又はチタンその他の金属、これらを含む合金で製造されてもよい。
マグネシウム又はチタンは、アルミニウムより軽い。
カバー１３０がガラス製の場合は、ガラスを保護するために、本体部１００、第１端部蓋１４０、第２端部蓋１５０は金属製が望ましい。
カバー１３０は、ガラス製に限らず、ポリカーボネート、アクリルその他の透明樹脂で製造されてもよい。カバー１３０が透明樹脂で製造されている場合は、本体部１００、第１端部蓋１４０、第２端部蓋１５０は、金属製でなくてもよく、ポリカーボネート、アクリルその他の透明樹脂で製造されてもよい。
【０１２１】
＊＊＊効果の説明＊＊＊
＜軽量化＞
本体部１００、第１端部蓋１４０、第２端部蓋１５０に用いる金属材料として、マグネシウム又はチタン、あるいはこれらを含む合金を用いれば、照明具１全体の重さが軽くなる。
カバー１３０材料として、樹脂を用いれば、照明具１全体の重さが軽くなる。
第１端部蓋１４０、第２端部蓋１５０は、金属材料の代わりに樹脂を用いれば、照明具１全体の重さが軽くなる。
【０１２２】
＜振動対策＞
また、照明具１が軽くなれば、照明装置に振動が加わった場合のソケットを中心にした照明具１の振動範囲（最大振幅）が小さくなり、照明具１と照明器具とが衝突して破損する可能性を低減することができる。
【０１２３】
＜支持体２１０の材料＞
支持体２１０は、受電端２００との絶縁性が維持されていれば、樹脂材料以外の材料を用いて製造されてもよく、アルミニウムなどの金属材料を用いて製造されてもよい。
支持体２１０は、アルミニウム以外の金属材料、例えば、銅、ステンレス、鉄、スズ、マグネシウム、チタン、又はこれらを含む合金、その他の金属材料が用いられてもよい。
あるいは、セラミック、ガラス、紙、あるいは、木で、製造されてもよい。
以下に、支持体２１０と連結部２３０ａとの好適な材料の組み合わせについて記す。
支持体２１０の材料  連結部２３０ａの材料
（１）      金属          樹脂
（２）セラミック          樹脂
（３）セラミック          金属
支持体２１０は、接続部３００の各部品の中心にある構造部材であるから、金属材料又はセラミックのように樹脂材料と比較して経年劣化しにくい材料を用いることが望ましい。
異種金属が長期間接触していると、異種金属間で腐食が生じる可能性があるので、支持体２１０と連結部２３０ａとの材料は異種金属でない方が望ましい。
なお、支持体２１０は、後述するように、金属製の支持筐体部を樹脂製の蓋部で覆う構成としてもよい。また、支持体２１０と連結部２３０ａとは、樹脂材料を用いて一つの部品として製造してもかまわない。
【０１２４】
＜本体部１００＞
図２９は、本体部１００の筒部１０１の構成と性能との関係を示す図である。
図２９は、実験例１〜５と「実施形態」との６態様の本体部１００と放熱効果と、剛性と生産性と重量との関係について示している。
【０１２５】
図３０と図３１は、本体部１００の筒部１０１の構造を示す図である。
【０１２６】
＜筒部１０１＞
本体部１００は、熱伝達経路あるいは熱伝達部となる筒部１０１を有する。
筒部１０１は、本体部１００の中心軸Ｏと直交する断面における外接円の径寸法が均一の管体である。
筒部１０１は、十六角柱であり、十六の矩形面を有する。
筒部１０１は、両端部に端部１０４を有する。
筒部１０１は、十六の矩形面の各内周面１０３に複数の放熱フィン１０８を有する。
【０１２７】
＜放熱フィン１０８＞
放熱フィン１０８は、十六の矩形面の各内周面１０３の中央から本体部１００の中心軸Ｏに向けて立設されている。
放熱フィン１０８は、本体部１００の中心軸方向における一方の端部１０４から他方の端部１０４に渡って立設されている。
放熱フィン１０８は、押出し成形によって、筒部１０１の一部として一体製造されている。
【０１２８】
＜ネジ孔１０６＞
端部１０４の内周面１０３には、８個のネジ孔１０６がある。
ネジ孔１０６は、十六角柱の筒部１０１の角部分の内側すなわち十六の矩形面の各内周面１０３の結合部分の内側に形成されている。
ネジ孔１０６は、複数の放熱フィン１０８の間に４５度間隔で配置されている。
ネジ孔１０６は、断面形状が、内部空間１０７に向かって開口されたＣ字形状をしている。
ネジ孔１０６は、本体部１００の中心軸方向における一方の端部１０４から他方の端部１０４に渡って立設されている。
ネジ孔１０６は、押出し成形によって、筒部１０１の一部として一体製造されている。
【０１２９】
９０度間隔で配置された４個のネジ孔１０６には、第１端部蓋１４０又は第２端部蓋１５０を取り付けるためのネジ１７０がねじ込まれる。
９０度間隔で配置された他の４個のネジ孔１０６には、支持ユニット２０を取り付けるためのネジ５０がねじ込まれる。
ネジ５０は、支持鍔部２１３のネジ孔２１４から挿入され、第２端部蓋１５０の円環部１５１を間に挟んで、支持鍔部２１３を本体部１００に固定する。
ネジ孔１０６には、第１端部蓋１４０、第２端部蓋１５０、支持ユニット２０を取り付けるためのネジ１７０、ネジ５０がねじ込まれる。
【０１３０】
筒部１０１の内部には、内部空間１０７が形成されている。内部空間１０７は、筒部１０１の内側の空間全体をいう。
【０１３１】
内部空間１０７の中央には、通気空間１０９が存在する。通気空間１０９は、内部空間１０７の中央にあり、放熱フィン１０８が形成されていない筒状の空間である。
【０１３２】
図３０と図３１に示す各寸法は以下のとおりである。
Ｌ７＝筒部１０１の長さ
Ｗ１０＝筒部１０１の内周径＝内部空間１０７の径寸法
Ｗ１１＝通気空間１０９（空洞部）の径寸法
Ｔ＝放熱フィン１０８の高さ
Ｂｒ＝放熱フィン１０８の先端の間隔
Ｋｒ＝放熱フィン１０８の根本の間隔
Ｆ＝放熱フィン１０８の厚さ
筒部１０１の内周径Ｗ１０と筒部１０１の長さＬ７の比は、２：３である。
【０１３３】
図２９は、以下の４種の「性能項目」を比較したものである。
「放熱効果」は、通気空間１０９が略水平方向に向けられた場合、本体部１００の筒部１０１の構成と放熱効果との関係について示したシミュレーション結果である。
「剛性」は、本体部１００の筒部１０１の堅牢性を示している。
「生産性」は、本体部１００の筒部１０１を押出し成型する場合の適否を示している。
「重量」は、本体部１００の筒部１０１の重量評価を示しており、軽い方が望ましい。
【０１３４】
図２９において、「性能項目」に示す記号は以下の意味を有する。
◎＝優良
〇＝良好
△＝普通
×＝不適
【０１３５】
＜放熱効果＞
図３２の左図は、実験例１の筒部１０１のシミュレーション実施構成を示す図である。なお、シミュレーション実施構成には、ネジ孔１０６は存在していない。
実験例１は、
本体部１００の筒部１０１の内周径Ｗ１０をφ９０［ｍｍ］、
放熱フィン１０８の数Ｋを１６［枚］
放熱フィンの高さＴを１０［ｍｍ］
とした場合を示している。
実験例２，３，４は、図示していないが、実験例１に対して、放熱フィンの高さＴを変化させたものであり、
放熱フィンの高さＴ［ｍｍ］を２０［ｍｍ］、３０［ｍｍ］、４５［ｍｍ］
とした場合を示している。
放熱フィンの高さＴ［ｍｍ］を変更すれば、通気空間１０９（空洞部）の径寸法Ｗ１１［ｍｍ］も変更される。放熱フィンの高さＴ［ｍｍ］と通気空間１０９（空洞部）の径寸法Ｗ１１［ｍｍ］との関係は以下のとおりである。
Ｔ＋Ｗ１１＋Ｔ＝２Ｔ＋Ｗ１１＝Ｗ１０
【０１３６】
図３３は、シミュレーション結果を基に、放熱フィンの高さＴ［ｍｍ］と放熱効果との関係をグラフに示したものである。
縦軸は発光素子１２１であるＬＥＤの接合部温度（ジャンクション温度）［℃］の推定値、
第１の横軸（上）は放熱フィン１０８の筒部１０１からの高さＴ［ｍｍ］、
第２の横軸（下）は隣接する放熱フィン１０８の先端どうしの距離（間隔）寸法Ｂｒ［ｍｍ］
である。
【０１３７】
図３３の実験例１，２，３に示すように、内部空間１０７に通気空間１０９（放熱フィン１０８が配置されない空洞部）が設けられた場合は、放熱フィン１０８の高さＴ［ｍｍ］が大きくなると発光素子１２１の温度Ｔｊ［℃］が徐々に低下する傾向がある。
【０１３８】
また、図３３の実験例４に示すように、放熱フィン１０８の高さＴ［ｍｍ］が最大となる場合、発光素子１２１の温度Ｔｊ［℃］が最大の値を示す。つまり放熱フィン１０８が内部空間１０７全体に放射状に設けられ、通気空間１０９が存在しない場合は、放熱効果が低い。
【０１３９】
この実験から、通気空間１０９が略水平方向に向けられた場合、実験例１〜３のように通気空間１０９が設けられた態様は、通気空間１０９が設けられない場合に比べて効率的に放熱することがわかる。通気空間１０９が略鉛直方向に向けられた場合も、実験例１〜３のように通気空間１０９が設けられた態様は、ドラフト効果を得て放熱するので好適である。
【０１４０】
図３２の右図は、実験例５の筒部１０１のシミュレーション実施構成を示す図である。シミュレーション実施構成には、ネジ孔１０６は存在していない。
実験例５は、実験例１に対して、放熱フィン１０８の数Ｋを変化させたものであり、放熱フィン１０８の数Ｋを３２［枚］とした場合を示している。
【０１４１】
図３４は、シミュレーション結果を基に、放熱フィン１０８の先端の間隔Ｂｒ［ｍｍ］と放熱効果との関係をグラフに示したものである。
縦軸は発光素子１２１であるＬＥＤの接合部温度（ジャンクション温度）Ｔｊ［℃］の推定値、
横軸は隣接する放熱フィン１０８の先端どうしの距離（間隔）寸法Ｂｒ［ｍｍ］である。
図３４は、
筒部１０１の内周径Ｗ１０をφ９０［ｍｍ］、
通気空間１０９（放熱フィン１０８が配置されない空洞部）の径寸法Ｗ１０をφ７０［ｍｍ］、
放熱フィン１０８の高さＴを１０［ｍｍ］
とした場合に、放熱フィン１０８の数Ｋを変更することによって隣接する放熱フィン１０８の先端どうしの距離（間隔）寸法Ｂｒ［ｍｍ］が異なる２つの態様を示した図である。
【０１４２】
図３４に示すように、実験例１の放熱フィン１０８の数Ｋを１６枚から、実験例３の放熱フィン１０８の数Ｋを３２枚にすると、放熱フィン１０８の先端どうしの距離（間隔）寸法Ｂｒ［ｍｍ］が小さくなり、ＬＥＤの接合部温度（ジャンクション温度）Ｔｊ［℃］は緩やかに上昇する。
【０１４３】
この実験から、筒部１０１の内周径Ｗ１０［ｍｍ］と、通気空間１０９（放熱フィン１０８が配置されない空洞部）の径寸法Ｗ１１［ｍｍ］が同じである場合には、放熱フィン１０８の先端どうしの距離（間隔）寸法Ｂｒ［ｍｍ］が大きい方が高い放熱効果を得ることがわかる。
つまり、必要以上に放熱フィン１０８の放熱面積［ｍｍ２］を大きくするよりは、放熱量に応じて放熱フィン１０８の先端どうしの距離（間隔）寸法Ｂｒ［ｍｍ］を確保した方がよい。
また、通気空間１０９（放熱フィン１０８が配置されない空洞部）を鉛直方向に向けた場合も必要以上に放熱フィン１０８の放熱面積［ｍｍ２］を大きくするよりは、放熱量に応じて放熱フィン１０８の先端どうしの距離（間隔）寸法Ｂｒ［ｍｍ］を確保した方がよい。
さらに、通気空間１０９（放熱フィン１０８が配置されない空洞部）を鉛直方向に向け、放熱フィン１０８の間に放出された熱エネルギーをドラフト効果によって排熱するうえでも、必要以上に放熱フィン１０８の放熱面積［ｍｍ２］を大きくして、放熱フィン１０８の先端どうしの距離（間隔）寸法Ｂｒ［ｍｍ］を小さくしすぎない方がよい。
【０１４４】
＜図３３と図３４＞
図３３と図３４を比較すると、放熱効果は、放熱フィン１０８の高さＴが変化すると大きく変化しており、放熱フィン１０８の間隔Ｂｒが変化してもさほど変化していないことがわかる。
そして、図３３に示すように、放熱効果は、放熱フィン１０８の高さＴが２５〜３５［ｍｍ］の場合に優良であり、放熱フィン１０８の高さＴが４０［ｍｍ］を超えると急激に悪化する。
したがって、放熱効果の高い筒部１０１を設計する場合は、放熱フィン１０８の高さＴが重要である。
図３３に示すように、筒部１０１の内周径Ｗ１０がφ９０［ｍｍ］の場合、放熱フィン１０８の高さＴが２５〜３５［ｍｍ］が優良であるから、Ｗ１０：Ｔ＝９０：２５〜３５≒１８：５〜７とするのが望ましい。Ｔ＝３０［ｍｍ］とすれば、Ｗ１０：Ｔ＝９０：３０＝３：１となる。
また、図３３に示すように、筒部１０１の内周径Ｗ１０がφ９０［ｍｍ］の場合、放熱フィン１０８の間隔Ｂｒが３．５〜７．５［ｍｍ］が優良であるから、Ｗ１０：Ｂｒ＝９０：３．５〜７．５＝１８：０．７〜１．５とするのが望ましい。Ｂｒ＝５．０［ｍｍ］とすれば、Ｗ１０：Ｂｒ＝９０：５＝１８：１となる。
筒部１０１の構成は、前記比に限定されるものではなく、前記比のプラスマイナス１０％の範囲内の比を持つ構成であってもよい。
【０１４５】
＜剛性＞
図２９に示すように、実験例１〜５の剛性は、良好又は優良である。
実験例４は、１６枚の放熱フィン１０８の先端が中央部で接するので最も堅牢になる。
【０１４６】
＜生産性＞
押出成形を用いて製造する場合、放熱フィン１０８の高さＴを大きくし過ぎると、押出された放熱フィン１０８が固化する前に自重によって倒れてしまう可能性がある。押出成形を用いて製造する場合、放熱フィン１０８が自重によって倒れてしまわないようにするためには、放熱フィン１０８の高さＴは、２０［ｍｍ］未満の範囲が好適である。
製造コストを考慮しなければ、放熱フィン１０８を筒部１０１と別の部品として準備し、放熱フィン１０８を筒部１０１に対して、ネジ、リベットなどで取り付ける方法によって、放熱フィン１０８の高さ寸法をより高くすることが可能である。
【０１４７】
＜重量＞
図２９に示すように、実験例３，４は、放熱フィン１０８の高さＴが増す分だけ重量が増加する。軽量化するためには、放熱フィン１０８の高さＴが、３０［ｍｍ］未満が好適である。
【０１４８】
＜実施形態＞
図２９に示す「実施形態」は、
筒部１０１の内周径Ｗ１０をφ９０［ｍｍ］、
通気空間１０９（空洞部）の径寸法Ｗ１１をφ６０［ｍｍ］、
放熱フィン１０８の高さＴを１５［ｍｍ］
放熱フィン１０８の数Ｋを１６［枚］
放熱フィン１０８の先端の間隔Ｂｒを１０［ｍｍ］
筒部１０１の長さＬ７を１４５［ｍｍ］
としたものである。
【０１４９】
これらの値を比で表すと以下のとおりである。
Ｗ１０：Ｗ１１＝９０：６０＝３：２
Ｗ１０：Ｌ７＝９０：１４５＝２：３
Ｗ１０：Ｔ＝９０：１５＝６：１
Ｗ１０：Ｂｒ＝９０：１０＝９：１
筒部１０１の構成は、前記比に限定されるものではなく、前記比のプラスマイナス１０％の範囲内の比を持つ構成であってもよい。
【０１５０】
図２９に示す「実施形態」の構成は、前述した放熱効果、剛性、生産性、重量という性能項目において、良好な結果を示す構成の一例である。
ただし、図２９の「実施形態」に示した値に限る必要はなく、以下のような値を採用してもよい。
筒部１０１の内周径Ｗ１０をφ８０［ｍｍ］以上φ１００［ｍｍ］以下、
通気空間１０９（空洞部）の径寸法Ｗ１１をφ５０［ｍｍ］以上φ７０［ｍｍ］以下、
放熱フィン１０８の高さＴを１０［ｍｍ］以上２０［ｍｍ］以下
放熱フィン１０８の数Ｋを１２［枚］以上２０［枚］以下
放熱フィン１０８の先端の間隔Ｂｒを１０［ｍｍ］以上１５［ｍｍ］以下
筒部１０１の長さＬ７を１００［ｍｍ］以上２００［ｍｍ］以下
【０１５１】
これらの値を比で表すと以下のとおりである。
Ｗ１０：Ｗ１１＝８０〜１００：５０〜７０＝８〜１０：５〜７
Ｗ１０：Ｌ７＝８０〜１００：１００〜２００＝４〜５：５〜１０
Ｗ１０：Ｔ＝８０〜１００：１０〜２０＝８〜１０：１〜２
Ｗ１０：Ｂｒ＝８０〜１００：１０〜１５＝１６〜２０：２〜３
【０１５２】
図３３の第１の横軸（上）と第２の横軸（下）とに示すように、放熱フィン１０８の高さＴ［ｍｍ］を増せば、放熱フィン１０８の先端どうしの距離（間隔）寸法Ｂｒ［ｍｍ］は小さくなる。
また、放熱フィン１０８の数Ｋを増せば、放熱フィン１０８の根本の距離（間隔）寸法Ｋｒ［ｍｍ］と放熱フィン１０８の先端の距離（間隔）寸法Ｂｒ［ｍｍ］は小さくなる。
放熱フィン１０８の厚さをＦとすると、放熱フィン１０８の高さＴ［ｍｍ］と放熱フィン１０８の先端の距離（間隔）寸法Ｂｒ［ｍｍ］との関係は以下のとおりである。
なお、以下の計算式で求められるＢｒとＫｒとは、円弧の長さであり、距離（間隔）ではないが、円弧の長さを距離（間隔）と等価な値としている。
［｛（Ｗ１０−Ｔ−Ｔ）×３．１４｝÷Ｋ］−Ｆ＝
［｛（Ｗ１１）×３．１４｝÷Ｋ］−Ｆ＝Ｂｒ
また、放熱フィン１０８の数Ｋと放熱フィン１０８の根本の距離（間隔）寸法Ｋｒ［ｍｍ］との関係は以下のとおりである。
［｛（Ｗ１０）×３．１４｝÷Ｋ］−Ｆ＝Ｋｒ
【０１５３】
放熱フィン１０８の厚さＦを１．４［ｍｍ］とすると、ＢｒとＫｒは以下のとおりである。
実験例１のとき、放熱効果は△であり、
Ｔ＝１０
Ｂｒ＝［｛（９０−１０−１０）×３．１４｝÷１６］−１．４≒１２
Ｋｒ＝［｛（９０）×３．１４｝÷１６］−１．４≒１６
「実施形態」のとき、放熱効果は〇であり、
Ｔ＝１５
Ｂｒ＝［｛（９０−１５−１５）×３．１４｝÷１６］−１．４≒１０
Ｋｒ＝［｛（９０）×３．１４｝÷１６］−１．４≒１６
実験例２のとき、放熱効果は〇であり、
Ｔ＝２０
Ｂｒ＝［｛（９０−２０−２０）×３．１４｝÷１６］−１．４≒８
Ｋｒ＝［｛（９０）×３．１４｝÷１６］−１．４≒１６
実験例３のとき、放熱効果は◎であり、
Ｔ＝３０
Ｂｒ＝［｛（９０−３０−３０）×３．１４｝÷１６］−１．４≒４
Ｋｒ＝［｛（９０）×３．１４｝÷１６］−１．４≒１６
実験例４のとき、放熱効果は×であり、
Ｔ＝４５
Ｂｒ＝［｛（９０−４５−４５）×３．１４｝÷１６］−１．４≒０
Ｋｒ＝［｛（９０）×３．１４｝÷１６］−１．４≒１６
実験例５のとき、放熱効果は×であり、
Ｔ＝１０
Ｂｒ＝［｛（９０−１０−１０）×３．１４｝÷３２］−１．４≒５
Ｋｒ＝［｛（９０）×３．１４｝÷３２］−１．４≒７
【０１５４】
放熱効果が普通である実験例１のＢｒ：Ｋｒ：Ｔは、１２：１６：１０＝９６：１２８：８０である。
放熱効果が良好である「実施形態」のＢｒ：Ｋｒ：Ｔは、１０：１６：１５＝８０：１２８：１２０である。
放熱効果が良好である実験例２のＢｒ：Ｋｒ：Ｔは、８：１６：２０＝６４：１２８：１６０である。
放熱効果が優良である実験例３のＢｒ：Ｋｒ：Ｔは、４：１６：３０＝３２：１２８：２４０である。
放熱効果が不適である実験例４のＢｒ：Ｋｒ：Ｔは、０：１６：４５＝０：１２８：３６０である。
放熱効果が不適である実験例５のＢｒ：Ｋｒ：Ｔは、５：７：１０≒９１：１２８：１８３である。
【０１５５】
放熱効果を重視する場合は、筒部１０１の構成は、放熱効果が優良である実験例３の構成にするのが好適であり、Ｂｒ：Ｋｒ：Ｔは、４：１６：３０＝３２：１２８：２４０＝２：８：１５≒１：４：８であることが望ましい。放熱効果を良好又は優良にするには、Ｂｒ：Ｋｒは、４：１６〜１０：１６＝３２：１２８〜８０：１２８＝１：４〜５：８であることが望ましい。
Ｂｒ：Ｋｒ＝１２：１６＝９６：１２８＝３：４の実験例１又はＢｒ：Ｋｒ＝５：７≒９１：１２８の実験例５のように、Ｂｒ：Ｋｒが９１超：１２８の場合は、普通又は不適となる。
Ｂｒ：Ｋｒ＝０：１６＝０：１２８の実験例４のように、放熱フィン１０８の先端の距離（間隔）寸法Ｂｒ［ｍｍ］が０は、放熱効果が小さい。
【０１５６】
＜効果＞
「実施形態」の構成を有する筒部１０１は、放熱効果、剛性、生産性、重量という性能項目において、良好な結果を示すものであり、照明具１の部品として適している。
【０１５７】
実施の形態４．
本実施の形態では、主に実施の形態１〜３との差異を説明する。
＊＊＊構成の説明＊＊＊
図３５は、第１端部蓋および第２端部蓋が異なる光源ユニット１０の組み立て状態を示す斜視図である。
図３６は、第１端部蓋１４０ａを示す図であり、図３６の（ａ）は右側面図、図３６の（ｂ）は正面図、図３６の（ｃ）は左側面図、図３６の（ｄ）は底面図、図３６の（ｅ）は斜視図である。
【０１５８】
本実施の形態における第１端部蓋１４０ａの橋部１４４は、１つの幅太橋１４７と３つの幅細橋１４８とを備える。１つの幅太橋１４７の一端部は第１端部蓋１４０ａの略中心で３つの幅細橋１４８の一端部と接続しており、１つの幅太橋１４７および３つの幅細橋１４８の他端部は円環部１４１と接続している。橋部１４４は全体として放射状の形であり、円環部１４１と橋部１４４とで囲まれた４つの領域は通気口１４６である。通気口１４６は、本体部１００の内部空間１０７と外部空間とを連通させる開口である。
なお、本実施の形態において、第２端部蓋１５０ａは第１端部蓋１４０ａと同じものを用いることができる。
【０１５９】
＊＊＊作用効果の説明＊＊＊
第１端部蓋１４０ａは、放射状の橋部１４４が円環部１４１と一体に形成されており剛性が向上する。また、第１端部蓋１４０ａが取り付けられた光源ユニット１０、およびこれを用いた照明具１の剛性も向上する。
第１端部蓋１４０ａは、放射状の橋部１４４の少なくとも１つが幅太橋１４７として形成されて円環部１４１と一体に形成されており、幅太橋１４７は幅細橋１４８よりも丈夫である。このため、幅太橋１４７は、照明器具に取り付けて使用する照明具１の落下あるいは緩みを防止するために、ワイヤ（図示省略）を取付ける落下防止機構として用いることができる。ワイヤ（図示省略）は、幅太橋１４７に巻き付けることによって、幅太橋１４７のみに取り付けられる。
幅太橋１４７は幅細橋１４８よりも広い平面部が形成されているので、ワイヤを取付ける落下防止機構であることを明示しやすい。図示は省略するが、落下防止機構であること明示する方法として、印刷物の貼り付け、印刷、刻印などの方法を用いることができる。
【０１６０】
なお、第２端部蓋１５０ａとして第１端部蓋１４０ａと同じものを用いる場合、幅太橋１５７（図示省略）は配線部材３０を配線する経路として用いることができる。
【０１６１】
実施の形態５．
本実施の形態では、主に実施の形態１〜４との差異を説明する。
＊＊＊構成の説明＊＊＊
図３７は、第１端部蓋および第２端部蓋が異なる光源ユニット１０の組み立て状態を示す斜視図である。
図３８は、第１端部蓋１４０ｂを示す図であり、図３８の（ａ）は右側面図、図３８の（ｂ）は正面図、図３８の（ｃ）は左側面図、図３８の（ｄ）は底面図、図３８の（ｅ）は斜視図である。
【０１６２】
本実施の形態における第１端部蓋１４０ｂの橋部１４４は、１つの幅太橋１４７と２つの幅細橋１４８とを備える。１つの幅太橋１４７一端部は第１端部蓋１４０ｂの略中心で２つの幅細橋１４８の一端部と接続しており、１つの幅太橋１４７および２つの幅細橋１４８の他端部は円環部１４１と接続している。橋部１４４は全体として放射状の形であり、円環部１４１と橋部１４４とで囲まれた３つの領域は通気口１４６である。通気口１４６は、本体部１００の内部空間１０７と外部空間とを連通させる開口である。
なお、本実施の形態において、第２端部蓋１５０ａは第１端部蓋１４０ａと同じものを用いることができる。
【０１６３】
＊＊＊作用効果の説明＊＊＊
第１端部蓋１４０ｂは、放射状の橋部１４４が円環部１４１と一体に形成されており剛性が向上する。また、第１端部蓋１４０ｂが取り付けられた光源ユニット１０、およびこれを用いた照明具１の剛性も向上する。
第１端部蓋１４０ｂは、放射状の橋部１４４の少なくとも１つが幅太橋１４７として形成されて円環部１４１と一体に形成されており、幅太橋１４７は幅細橋１４８よりも丈夫である。このため、幅太橋１４７は、照明器具に取り付けて使用する照明具１の落下あるいは緩みを防止するために、ワイヤ（図示省略）を取付ける落下防止機構として用いることができる。ワイヤ（図示省略）は、幅太橋１４７に巻き付けることによって、幅太橋１４７のみに取り付けられる。
幅太橋１４７は幅細橋１４８よりも広い平面部が形成されているので、ワイヤを取付ける落下防止機構であることを明示しやすい。図示は省略するが、落下防止機構であること明示する方法として、印刷物の貼り付け、印刷、刻印などの方法を用いることができる。
第１端部蓋１４０ｂは、幅細橋１４８を２つとしたので通気口１４６を大きくすることができる。このため光源ユニット１０およびこれを用いた照明具１の剛性と放熱性とが向上する。
【０１６４】
なお、第２端部蓋１５０ｂとして第１端部蓋１４０ｂと同じものを用いる場合、幅太橋１５７（図示省略）は配線部材３０を配線する経路として用いることができる。
【０１６５】
実施の形態１〜５の第１端部蓋は、本体部の端部を覆うように本体部に取り付けられている部品である。
第１端部蓋は、環状の円環部１４１と複数の橋とを備え、複数の橋の一端部どうしは接続されており、複数の橋の他端部は円環部１４１と接続されている。
第１端部蓋は、複数の橋で囲まれた複数の通気口を有する。
【０１６６】
また、実施の形態１〜５の第１端部蓋は、環状の円環部と１つの幅太橋と１つ以上の幅細橋とを備え、１つの幅太橋の一端部と１つ以上の幅細橋の一端部とは接続されており、１つの幅太橋の他端部と１つ以上の幅細橋の他端部は円環部と接続されている。
第１端部蓋は、円環部と１つの幅太橋と１つ以上の幅細橋とで囲まれた複数の通気口を有する。
【０１６７】
実施の形態６．
本実施の形態では、実施の形態１〜５との差異を説明する。
本実施の形態では、主として第１ガスケットの実施の形態を説明する。
【０１６８】
＊＊＊構成の説明＊＊＊
図３９は、実施の形態６に係る照明具の構成要素を説明する分解斜視図である。
図４０は、実施の形態６に係る照明具の構成要素を説明する分解斜視図である。
図４１は、実施の形態６に係る光源ユニットの内部構造を説明する部分断面斜視図である。
図４２は、実施の形態６に係る光源ユニットの内部構造を説明する部分断面斜視図である。
図４３は、実施の形態６に係る第１ガスケット１６０の構成を示す部分斜視断面図である。
図４４は、実施の形態６に係る第１ガスケット１６０の構成を示す部分断面図である。
【０１６９】
図４３及び図４４は、第２端部蓋１５０に取り付けられた第１ガスケット１６０を示しているが、第１ガスケット１６０は、第１端部蓋１４０にも同様に取り付けられている。
【０１７０】
＜＜第１端部蓋１４０＞＞
図４０に示すように、第１端部蓋１４０は、主部となる円環部１４１を有している。円環部１４１は、ドーナツ形状をしている。
図４２に示すように、円環部１４１は、外縁にカバー１３０の端部１３４を覆う環状庇１４９を有している。
第１端部蓋１４０は、図４２に示すように、第１ガスケット１６０を配置する環状の溝部１４２と環状配置部１４２２とを有する。溝部１４２及び環状配置部１４２２は第１ガスケット配置部として機能する。
溝部１４２と環状配置部１４２２とは環状の仕切壁１４２１によって隔てられている。
【０１７１】
以下、主に第２端部蓋１５０について説明するが、第１端部蓋１４０の構成は、第２端部蓋１５０の構成と同様である。
【０１７２】
＜＜第２端部蓋１５０＞＞
図４１及び図４３に示すとおり、第２端部蓋１５０は、円環部１５１、溝部１５２、環状配置部１５２２、仕切壁１５２１、ネジ孔１５３、橋部１５４を有し、橋部１５４の両側に２個の半円形状の通気口１５６を形成している。
第２端部蓋１５０の溝部１５２及び環状配置部１５２２は第１ガスケット配置部として機能し、第２端部蓋１５０に第１ガスケット１６０の配置が可能である。
【０１７３】
＜溝部１５２＞
図４３及び図４４に示すように、溝部１５２は、凹形状を形成しており、溝底部１５２３と溝外壁部１５２４と溝内壁部１５２５を有する。
溝外壁部１５２４と溝内壁部１５２５は、溝の内側側面であり対向している帯状の面である。
溝底部１５２３は、リング状の溝の底面である。
溝内壁部１５２５は、仕切壁１５２１の外周面を兼ねている。
第１端部蓋１４０の溝部１４２も、第２端部蓋１５０の溝部１５２と同一形状をしている。
【０１７４】
＜環状配置部１５２２＞
図４３及び図４４に示すように、環状配置部１５２２は、直交する配置底面１５１２と配置立面１５１１とを有する。
配置底面１５１２は、リング状の面を有し、仕切壁１５２１は、配置底面１５１２の周囲から立設された帯状の環状面を有する。
配置立面１５１１は、仕切壁１５２１の内周面を兼ねている。
第１端部蓋１４０の環状配置部１４２２も、第２端部蓋１５０の環状配置部１５２２と同一形状をしている。
【０１７５】
＜仕切壁１５２１＞
仕切壁１５２１は、溝部１５２と環状配置部１５２２とを仕切っている環状の凸壁である。
仕切壁１５２１の外周壁は、溝内壁部１５２５を形成している。
仕切壁１５２１の内周壁は、溝内壁部１５２５を形成している。
図４３に示すように、仕切壁１５２１の中心軸Ｏ方向の高さは、環状庇１５９の中心軸Ｏ方向の高さよりも小さい。
【０１７６】
＜＜第１ガスケット１６０＞＞
図４３及び図４４に示すように、第１ガスケット１６０はカバーガスケット１６１と筒部ガスケット１６２とを有する。
カバーガスケット１６１と筒部ガスケット１６２とは、分離した環状の部品である。
カバーガスケット１６１と筒部ガスケット１６２とは、弾力性があり、ゴム、シリコン又は樹脂で製造されている。
ガスケットとは、構造に気密性、液密性を持たせるために用いる固定用シール材である。
ガスケットの好適な例はゴムリング又はゴムシート又は樹脂リングである。
【０１７７】
＜＜カバーガスケット１６１＞＞
カバーガスケット１６１は、半径方向の断面が凹形状の環状部材である。
図４３及び図４４に示すように、カバーガスケット１６１は、凹形状を形成しており、底部１６１１と外壁部１６１２と内壁部１６１３を有する。
外壁部１６１２と内壁部１６１３は、凹形状の内側側面であり対向している帯状の面である。
底部１６１１は、凹形状の底面である。
外壁部１６１２の径は、カバー１３０の外径と同じである。
内壁部１６１３の径は、カバー１３０の内径と同じである。
底部１６１１は、カバー１３０の端部１３４と全周で密着する。
【０１７８】
＜＜筒部ガスケット１６２＞＞
筒部ガスケット１６２は、半径方向の断面がＬ形状の環状部材である。
図４３及び図４４に示すように、筒部ガスケット１６２は、直交している取付部封止部１６２１と端部封止部１６２２を有する。
取付部封止部１６２１は、リング形状をしており、下面となるリング下面１６２３と上面となるリング上面１６２６とを有する。
端部封止部１６２２は、筒形状をしており、外周面となる環状外壁面１６２４と内周面となる環状内壁面１６２５とを有する。
筒部ガスケット１６２の環状外壁面１６２４の径は、仕切壁１５２１の内径と同じである。
筒部ガスケット１６２の環状内壁面１６２５の径は、筒部１０１の外径と同じである。
筒部ガスケット１６２の環状外壁面１６２４の外周形状は円形であるが、環状内壁面１６２５の内周形状は、正１６角形をしており、筒部１０１の外周形状と同じ正１６角形である。
筒部ガスケット１６２のリング上面１６２６は、筒部１０１の端部１０４と全周で密着する。
筒部ガスケット１６２のリング下面１６２３は、第２端部蓋１５０の配置底面１５１２と全周で密着する。
【０１７９】
図４３及び図４４に示すように、第２端部蓋１５０が本体部１００に取り付けられた状態で、カバーガスケット１６１は押厚されており、カバー１３０の端部１３４がカバーガスケット１６１を弾性変形させて所定の深さだけ沈み込む。所定の深さは液密性が維持可能な深さであり、概ね１ｍｍ程度である。
そして、第２端部蓋１５０が本体部１００に取り付けられた状態で、筒部ガスケット１６２は押厚されており、筒部１０１の端部１０４が筒部ガスケット１６２を弾性変形させて所定の深さだけ沈み込んでいる。所定の深さは液密性が維持可能な深さであり、概ね１ｍｍ程度である。
【０１８０】
ここで、本体部１００とカバー１３０とは異なる材質からなり、異なるそれぞれ固有の線膨張係数を有する。本実施の形態では、本体部１００はアルミニウムなどの金属材料からなり、カバー１３０はガラス材料からなる。この場合、本体部１００の線膨張係数はカバー１３０よりも大きく、温度変化に伴う伸縮量は、本体部１００の方がカバー１３０よりも大きい。このため、本体部１００の中心軸Ｏ方向の長さ寸法の最小値ＬＢｍｉｎがカバー１３０の中心軸Ｏ方向の長さ寸法の最大値ＬＣｍａｘよりも大きくなるように、本体部１００及びカバー１３０の長さ寸法を決定することが好ましい（ＬＢｍｉｎ＞ＬＣｍａｘ）。このようにすると、温度変化に伴う伸縮が発生しても、カバー１３０に過大な応力が加わらないのでカバーの損傷を防ぐことができる。
そして、本体部１００の長さ寸法が最大値ＬＢｍａｘとなる環境において、カバー１３０の端部１３４がカバーガスケット１６１を弾性変形させて所定の深さだけ沈み込んでいることが好ましい。所定の深さは液密性が維持可能な深さであり、概ね１ｍｍ程度である。
【０１８１】
＜作用効果＞
第１ガスケット１６０の機能は以下のとおりである。
（１）異なる部材間（部品間）の隙間の解消と液密性（水密性、防水性）の確保。
（２）異なる膨張係数を有する部材間に発生する伸縮量の差に起因する応力の吸収。
（３）上記伸縮量の差が発生した場合における液密性（水密性、防水性）の維持。
（４）耐衝撃性向上（特にカバー１３０がガラス製である場合）。
（５）異なる部材（部品）どうしの寸法公差の緩和。
【０１８２】
＜＜第１〜３変形例＞＞
図４５は、カバーガスケットの形状が異なる変形例を説明する部分断面図であり、図４５の（ａ）は第１変形例を、図４５の（ｂ）は第２変形例を、図４５の（ｃ）は第３変形例を示している。
【０１８３】
＜第１変形例＞
図４５の（ａ）に示すように、第１変形例において、カバーガスケット１６１ａは隙間１６１７を介して第２端部蓋１５０の溝外壁部１５２４と対向しており、この隙間１６１７には接着剤１９０が充填されている。
【０１８４】
接着剤１９０を用いることによって、カバー１３０、カバーガスケット１６１ａ及び第２端部蓋１５０が強固に固定され、カバー１３０及びカバーガスケット１６１ａの脱落を防ぐことができる。
また、隙間１６１７はカバー１３０の外周面１３２側のみに設けられているので、カバー１３０の内周面１３３の側に接着剤１９０が浸入することを防止できる。
【０１８５】
＜第２変形例＞
図４５の（ｂ）に示すように、第２変形例において、カバーガスケット１６１ｂは隙間１６１７を介して第２端部蓋１５０ｃの溝外壁部１５２４と対向している。
カバーガスケット１６１ｂには第２溝部１６１８が設けられており、第２端部蓋１５０ｃの円環部１５１ａの溝外壁部１５２４には外壁溝部１５２６が設けられている。そして、この隙間１６１７、第２溝部１６１８、及び、外壁溝部１５２６の全体に接着剤１９０が充填されている。
【０１８６】
接着剤１９０が隙間１６１７、第２溝部１６１８、及び、外壁溝部１５２６の全体に充填されることによって、カバーガスケット１６１ｂ、接着剤１９０、及び第２端部蓋１５０ｃが相互にアンカー効果を奏するので、カバー１３０、カバーガスケット１６１ｂ及び第２端部蓋１５０ｃがより強固に固定され、カバー１３０及びカバーガスケット１６１ｂの脱落を防ぐことができる。
また、隙間１６１７はカバー１３０の外周面１３２側のみに設けられているので、カバー１３０の内周面１３３の側に接着剤１９０が浸入することを防止できる。
【０１８７】
＜第３変形例＞
図４５の（ｃ）に示すように、第３変形例において、カバーガスケット１６１ｃは隙間を介して第２端部蓋１５０の溝外壁部１５２４と対向している。
また、第２端部蓋１５０の溝底部１５２３と対向するカバーガスケット１６１ｃの底面１６１４が、半径方向の外側に向かって傾斜しており、半径方向の断面形状が三角形の隙間１６１７ａを形成している。
第２端部蓋１５０の溝外壁部１５２４とカバーガスケット１６１ｃとの間の隙間１６１７と、溝底部１５２３とカバーガスケット１６１ｃとの間の隙間１６１７ａには、接着剤１９０が充填されている。
【０１８８】
第２端部蓋１５０の溝底部１５２３と対向するカバーガスケット１６１ｃの底面が径方向の外側に向かって傾斜して三角形の隙間１６１７ａを形成しているため、接着時に液体又はジェル状の接着剤１９０をカバー１３０の半径方向外側に誘導することができる。
そして、接着剤１９０を用いることによって、カバー１３０、カバーガスケット１６１ｃ及び第２端部蓋１５０が強固に固定され、カバー１３０及びカバーガスケット１６１ｃの脱落を防ぐことができる。
【０１８９】
＜接着剤の作用効果＞
第１〜３変形例で用いた接着剤１９０は、以下のような効果も奏する。
（１）  異なる膨張係数を有する部材間に発生する伸縮量の差に伴う応力の吸収。
（２）  上記伸縮量の差が発生した場合における液密性（水密性、防水性）の維持。
（３）  耐衝撃性向上（特にカバー１３０がガラス製である場合）。
【０１９０】
＜＜第４変形例＞＞
図４６は、カバーガスケットの形状が異なる第４変形例を説明する部分断面図であり、図４６の（ａ）は第２端部蓋１５０にカバー１３０が装着される前の様子を示しており、図４６の（ｂ）はカバーガスケット１６１ｄを介して第２端部蓋１５０にカバー１３０が装着された状態を示している。
【０１９１】
図４６の（ａ）に示すように、カバーガスケット１６１ｄは、半径方向の断面形状がＨ字状をしている。
カバーガスケット１６１ｄは、カバー１３０の端部１３４のある側に、外壁部１６１２及び内壁部１６１３が形成されており、外壁部１６１２及び内壁部１６１３に挟まれた部分は空隙となっている。
カバーガスケット１６１ｄは、第２端部蓋１５０の溝底部１５２３のある側に、外側脚部１６１５及び内側脚部１６１６が形成されており、外側脚部１６１５及び内側脚部に挟まれた部分は空隙となっている。
【０１９２】
図４６の（ｂ）に示すように、カバー１３０の端部１３４が第２端部蓋１５０の溝底部１５２３に向かってカバーガスケット１６１ｄの底部１６１１を押圧すると、外側脚部１６１５は第２端部蓋１５０の溝外壁部１５２４側に、内側脚部１６１６は第２端部蓋１５０の溝内壁部１５２５側に、弾性変形しながら密着する。
そして、カバー１３０の外周面１３２に外壁部１６１２が、カバー１３０の内周面１３３に内壁部１６１３が、それぞれ弾性変形を伴いながら強力に密着する。
【０１９３】
第４変形例は、線膨張係数が大きい樹脂材料を用いてカバー１３０が形成されている場合には温度変化に伴う大きな伸縮量に対応できるので好適な形状である。
【０１９４】
＜＜第５〜６変形例＞＞
図４７は、第２端部蓋の形状が異なる変形例を説明する部分断面図であり、図４７の（ａ）は第５変形例を、図４７の（ｂ）は第６変形例を示している。
【０１９５】
＜第５変形例＞
図４７の（ａ）に示すように、第５変形例において、第２端部蓋１５０ｄは、溝底部１５２３の略中央に突出させた誘導ガイド１５２７が形成されている。
誘導ガイド１５２７の半径方向の断面形状は、半円形又はドーム形である。
誘導ガイド１５２７は、カバーガスケット１６１ｄが押圧された時に、外側脚部１６１５が第２端部蓋１５０ｄの溝外壁部１５２４側に、内側脚部１６１６が第２端部蓋１５０ｄの溝内壁部１５２５側に、弾性変形を誘導する。
このように、誘導ガイド１５２７は、第４変形例で説明したカバーガスケット１６１ｄを用いる場合に好適である。誘導ガイド１５２７によって液密性（水密性、防水性）を向上させることができる。
【０１９６】
＜第６変形例＞
図４７の（ｂ）に示すように、第６変形例において、第２端部蓋１５０ｅは、溝底部１５２３の略中央に突出させた誘導ガイド１５２８が形成されている。
誘導ガイド１５２８の半径方向の断面形状は、凸形状である。
誘導ガイド１５２８はカバーガスケット１６１ｄが押圧された時に、外側脚部１６１５が第２端部蓋１５０ｅの溝外壁部１５２４側に、内側脚部１６１６が第２端部蓋１５０ｅの溝内壁部１５２５側に、弾性変形を誘導する。
また、誘導ガイド１５２８の上面１５２９がカバーガスケット１６１ｄの天部１６１９と密着する。
このように、誘導ガイド１５２７は、第４変形例で説明したカバーガスケット１６１ｄを用いる場合に好適である。
誘導ガイド１５２８によってカバーガスケット１６１ｄの密着範囲が広がるので、液密性（水密性、防水性）を向上させることができる。
【０１９７】
＜＜第７〜９変形例＞＞
図４８は、第１ガスケットの形状が異なる第７変形例を説明する部分断面図である。
図４９は、第１ガスケットの形状が異なる第８変形例を説明する部分断面図である。
図５０は、第１ガスケットの形状と蓋部の形状とが異なる第９変形例を説明する部分断面図である。
【０１９８】
＜第７変形例＞
図４８に示すように、第７変形例において、第１ガスケット１６０ａは、カバーガスケットの部分と筒部ガスケットの部分とが一体化されている。詳しくは、カバーガスケットの部分と筒部ガスケットの部分とは、接続部１６０８によって接続されている。
これによって光源ユニットの組立性が向上するとともに、第１ガスケットの金型投資効率が改善する。
【０１９９】
＜第８変形例＞
図４９に示すように、第８変形例において、第１ガスケット１６０ｂは、カバーガスケットの部分と筒部ガスケットの部分とが接続部１６０８により一体化されている。
接続部１６０８は、カバーガスケットの部分と筒部ガスケットの部分とを接続している。
接続部１６０８には、貫通孔１６０９が設けられている。
また、第２端部蓋１５０の仕切壁１５２１に貫通孔１５５が設けられている。
配線部材３０は、基板１２２の端子１２３にはんだ付けされ、貫通孔１６０９と貫通孔１５５を介して外部に引き出される。
貫通孔１６０９は、貫通孔１５５と連通するように位置合わせされており、配線部材３０を挿通する通線孔として用いられる。
第１ガスケット１６０ｂに設けられている貫通孔１６０９の中心軸と第２端部蓋１５０に設けられている貫通孔１５５の中心軸は同じ中心軸である。
かつ、第１ガスケット１６０ｂに設けられている貫通孔１６０９の貫通方向に直交する断面積は、第２端部蓋１５０に設けられている貫通孔１５５の貫通方向に直交する断面積よりも小さい。
このため、配線部材３０が第２端部蓋１５０に設けられている貫通孔１５５の内壁及び端縁に接触することを防止できる。これによって、配線部材３０の外装や絶縁被覆が損傷したり、配線部材３０の内部導体が貫通孔１５５の内壁及び端縁に接触したり損傷したりすることを防止できるので、照明装置１０００を地絡や断線などの不具合から保護することができる。
なお、図４９では、貫通孔１６０９に複数の配線部材３０を挿通しているが、さらに液密性を向上させるために、複数の配線部材３０のそれぞれを独立して挿通させるように貫通孔１６０９を複数設けてもよい。その際、貫通孔１６０９の直径を配線部材３０の直径と一致させることが望ましい。あるいは、貫通孔１６０９の直径を配線部材３０の直径よりやや小さくして気密性、水密性を向上させることが望ましい。
あるいは、あらかじめ貫通孔１６０９を形成せず、接続部１６０８に中心軸Ｏ方向の厚さを薄くして、配線部材３０を接続部１６０８に突き通すことにより、貫通孔１６０９を形成してもよい。接続部１６０８を柔軟性のある素材で製造することにより、貫通孔１６０９の内壁が配線部材３０の外周に密着するので、気密性、水密性が向上する。また、貫通孔１６０９と貫通孔１５５とを連通するように位置合わせする必要がなく、組立性が向上する。
更に、貫通孔１５５と配線部材３０との隙間に、接着剤を充填して、気密性、水密性を向上させてもよい。
【０２００】
＜第９変形例＞
図５０に示すように、第９変形例において、第１ガスケット１６０ｃは、カバーガスケットの部分と筒部ガスケットの部分とが接続部１６０８により一体化されている。
接続部１６０８は、カバーガスケットの部分と筒部ガスケットの部分とを接続している。
接続部１６０８には、貫通孔１６０９が設けられている。
また、第２端部蓋１５０ｆの接続部１６０８に貫通孔１５５が設けられている。
貫通孔１６０９は、第２端部蓋１５０ｆに設けられている貫通孔１５５と連通するように位置合わせされており、配線部材３０を挿通する通線孔として用いられる。
第９変形例では、第２端部蓋１５０ｆにおける貫通孔１５５が形成される部分には仕切壁１５２１が形成されていない。これによって、第１ガスケット１６０ｃに設けられた貫通孔１６０９と第２端部蓋１５０ｆに設けられた貫通孔１５５との位置を合わせやすくなり、組立性が向上する。
また、第９変形例では、第８変形例に比べて、貫通孔１６０９の長さが長くなる。したがって、接続部１６０８を柔軟性のある素材で製造することにより、貫通孔１６０９の内壁が配線部材３０の外周に密着する距離が長くなり、気密性、水密性が向上する。
なお、図５０では、貫通孔１６０９に複数の配線部材３０を挿通しているが、さらに液密性を向上させるために、複数の配線部材３０のそれぞれを独立して挿通させるように貫通孔１６０９を複数設けてもよい。
更に、貫通孔１５５と配線部材３０との隙間に、接着剤を充填して、気密性、水密性を向上させてもよい。
なお、第８変形例と同様に、第１ガスケット１６０ｃに設けられている貫通孔１６０９の中心軸と第２端部蓋１５０に設けられている貫通孔１５５の中心軸は同じ中心軸であり、かつ、第１ガスケット１６０ｃに設けられている貫通孔１６０９の貫通方向に直交する断面積は、第２端部蓋１５０に設けられている貫通孔１５５の貫通方向に直交する断面積よりも小さい。
このため、配線部材３０が第２端部蓋１５０に設けられている貫通孔１５５の内壁及び端縁に接触することを防止できる。これによって、配線部材３０の外装や絶縁被覆が損傷したり、配線部材３０の内部導体が貫通孔１５５の内壁及び端縁に接触したり損傷したりすることを防止できるので、照明装置１０００を地絡や断線などの不具合から保護することができる。
【０２０１】
＜第１０変形例＞
図５１に示すように、実施の形態４で示した第１端部蓋１４０ａに、仕切壁１４２１と環状配置部１４２２を設けてもよい。
図５１に示す第１端部蓋１４０ａに取り付けられる筒部ガスケット１６２の外周形状は円形であるが、筒部ガスケット１６２の内周形状は筒部１０１の外周形状と同じである。すなわち、筒部１０１の外周形状が正１６角形である場合、筒部ガスケット１６２の環状内壁面１６２５の内周形状は、正１６角形である。
【０２０２】
＜第１１変形例＞
図５２に示すように、実施の形態５で示した第１端部蓋１４０ｂに、仕切壁１４２１と環状配置部１４２２を設けてもよい。第１端部蓋１４０ｂは、外周形状が正１２角形である筒部１０１に取り付けるものである。
図５２に示す第１端部蓋１４０ａに取り付けられる筒部ガスケット１６２の外周形状は円形であるが、筒部１０１の外周形状が正１２角形であるので、筒部ガスケット１６２の環状内壁面１６２５の内周形状は、正１２角形である。
【０２０３】
＜第１２変形例＞
図５３に示すように、筒部ガスケット１６２の断面形状はＬ字形状に限らない。
図５３の（ａ）に示すように、筒部ガスケット１６２は、半径方向の断面形状が、Ｊ字状又はＵ字状になっていてもよい。
筒部ガスケット１６２は、筒部１０１の内周に密着する延長部１６２７を有する。
延長部１６２７は、外周径が筒部１０１の内周径と一致する環状の壁である。
【０２０４】
図５３の（ｂ）に示すように、筒部ガスケット１６２は、半径方向の断面形状が、折れ曲がった矢印状になっていてもよい。
筒部ガスケット１６２の端部封止部１６２２は、半径方向の断面形状が、直角三角形になっており、一辺が筒部１０１の内周に密着し、他辺が環状配置部１５２２と密着する傾斜壁１６２８を有する。
傾斜壁１６２８は、外周径が筒部１０１の内周径と一致する環状のテーパ壁である。
【０２０５】
図５３の（ｃ）に示すように、筒部ガスケット１６２は、半径方向の断面形状が、クランク状になっていてもよい。
筒部ガスケット１６２は、半径方向の断面形状が、Ｚ字状になっており、取付部封止部１６２１の先端に環状庇１６２９を有する。
環状庇１６２９は、取付部封止部１６２１の先端から半径方向外側に延びた庇であり、仕切壁１５２１の角から上面に密着する屋根である。
【０２０６】
＜第１３変形例＞
図５４に示すように、カバーガスケット１６１ｄはＨ形状に限らない。
図５４の（ａ）に示すように、カバーガスケット１６１ｄに対して、２個の内凸環部１６０１を設けてもよい。
内凸環部１６０１は、外壁部１６１２と内壁部１６１３との先端の対抗する内側面から内側に突出した突起である。
内凸環部１６０１は、半径方向の断面形状が半円形をしている環状突起である。
内凸環部１６０１により、カバーガスケット１６１ｄがカバー１３０の内周と外周に確実に密着することができる。
【０２０７】
図５４の（ｂ）に示すように、カバーガスケット１６１ｄに対して、２個の外凸環部１６０２を設けてもよい。
外凸環部１６０２は、外側脚部１６１５と内側脚部１６１６との先端の外側面から外側に突出した突起である。
外凸環部１６０２は、半径方向の断面形状が半円形をしている環状突起である。
外凸環部１６０２により、カバーガスケット１６１ｄが溝部１５２の内周と外周に確実に密着することができる。
【０２０８】
図５４の（ｃ）に示すように、カバーガスケット１６１ｄに対して、２個の内凸環部１６０１と２個の外凸環部１６０２とを設けてもよい。
図示しないが、外壁部１６１２と内壁部１６１３との先端の内側に内凸環部１６０１とを設け、外側に外凸環部１６０２を設けてもよい。
また、外側脚部１６１５と内側脚部１６１６との先端の内側に内凸環部１６０１を設け、外側に外凸環部１６０２を設けてもよい。
【０２０９】
実施の形態７．
本実施の形態では、実施の形態１〜６との差異を説明する。
本実施の形態では、主として、防水性と絶縁性を向上させた口金接続構造について説明する。
図５５と図５６は、実施の形態７に係る支持ユニット２０ａの構成要素を説明する分解斜視図である。
図５７は、実施の形態７に係る支持ユニット２０ａの構造を説明する部分断面図である。
【０２１０】
＊＊＊構成の説明＊＊＊
＜＜支持ユニット２０ａ＞＞
支持ユニット２０ａは、発光素子１２１を点灯させる点灯電力を外部から受電する受電端２００が取り付けられており、受電端２００から発光素子１２１が実装された基板１２２に点灯電力を伝達する配線部材３０を配置する配線経路が形成されている。
支持ユニット２０ａは、受電端２００、支持プレート２１８、筒形状の支持体２１０ａ、連結部２３０ａ、第２ガスケット２５０ａ、及び、これらを一体化するネジ２６０を有している。
支持ユニット２０ａは、ネジ２６０によって、支持プレート２１８、支持体２１０ａ、第２ガスケット２５０ａ、及び、連結部２３０ａが一体化されて強固な構造体となる。
【０２１１】
支持体２１０ａは、一端が連結部２３０ａに取り付けられるとともに、他端が口金筐体２０１に取り付けられている。
支持体２１０ａは、口金筐体２０１と嵌合した状態で、内側に配置された支持本体２１００と、支持本体２１００を覆うように、外側に配置された支持カバー体２１０１とから構成されている。
支持カバー体２１０１は、支持本体２１００及び第２ガスケット２５０ａを間にして、ネジ２６０によって連結部２３０ａに取り付けられている。換言すると、支持カバー体２１０１が連結部２３０ａに取り付けられた状態で、支持本体２１００及び第２ガスケット２５０ａは、支持カバー体２１０１と連結部２３０ａとの間に挟持されている。
【０２１２】
＜支持本体２１００＞
支持本体２１００は、樹脂材料と比較して経年劣化しにくく、機械的強度に優れた材料を用いて製造されている。本実施の形態では、支持本体２１００はアルミニウムなどの金属材料、セラミック材料などを用いて製造されている。
照明具１がより大きな出力（明るさ）を必要とする場合には、光源ユニット１０が大型化し重量が増加する可能性がある。金属材料又はセラミック材料は、樹脂材料との比較において耐荷重に優れているので、光源ユニット１０の重量の増加の程度によっては、支持本体２１００の材料として好適である。
また、金属材料又はセラミック材料は、樹脂材料との比較において対環境性能（耐光性、耐候性）にも優れており、長期に渡って強度を維持することができるので、金属材料又はセラミック材料を用いて製造された支持本体２１００を採用することによって、照明具１の長期品質の維持にも寄与する。
【０２１３】
支持本体２１００は、一端が連結部２３０ａに固定され、他端が口金筐体２０１に取り付けられている。
支持本体２１００は、筒形状の支持本体筒部２１２０を有しており、支持本体筒部２１２０は、円筒形状の円筒部２１５０と、口金筐体２０１が嵌めこまれる螺合部２１１０とを有している。
円筒部２１５０の外径は螺合部２１１０の外径よりも大きく、円筒部２１５０と螺合部２１１０とは、段差部２１５１を介して連続している。
支持本体筒部２１２０の第１端部２１６０は、口金側端部である。
支持本体筒部２１２０の第２端部２１７０は、連結部側端部であり、支持本体鍔部２１３０を有している。支持本体鍔部２１３０は、環状形状をしており、連結部２３０ａを構造的に支えながら連結する連結部取付部として機能する。
【０２１４】
支持体２１０ａと連結部２３０ａとの間にはガスケットが配置されている。
支持本体鍔部２１３０の連結部２３０ａ側の端面は、第２ガスケット２５０ａを配置する第２ガスケット配置部として機能する。
支持本体鍔部２１３０には、支持本体２１００とネジ２６０とが直接接触しないように、周縁部の３箇所に（略１２０度間隔で）離間凹部２１４０が形成されている。離間凹部２１４０は、半円状の凹部である。離間凹部２１４０は、連結部２３０ａ及びネジ２６０の数に応じて形成されるものであり、４個以上形成されてもよく、異なる間隔（角度）で配置されてもよい。
【０２１５】
＜支持カバー体２１０１＞
支持カバー体２１０１は、好ましくは、電気絶縁性と耐環境性能（耐光性、耐候性）に優れた材料を用いて製造される。本実施の形態では、支持カバー体２１０１はポリブチレンテレフタレート（ＰＢＴ）などの樹脂材料、セラミック材料などを用いて製造される。
支持カバー体２１０１は、支持本体２１００の外側に配置されている。
【０２１６】
支持カバー体２１０１は、支持本体２１００の連結部側端部である第２端部２１７０側を覆った状態で、３本のネジ２６０を用いて連結部２３０ａに取り付けられている。
支持カバー体２１０１は、支持本体筒部２１２０の円筒部２１５０を覆う筒形状の支持カバー体筒部２１２１を有している。
【０２１７】
支持カバー体筒部２１２１の第１端部２１６１は、口金側端部であり、第１端部２１６１には、支持カバー体筒部２１２１の筒形状の胴部から内側に９０度折り曲がった庇形状の環状部２１６２が形成されている。
支持カバー体筒部２１２１の第１端部２１６１の庇形状の環状部２１６２は、口金筐体２０１と支持本体筒部２１２０の段差部２１５１との間に設けられた隙間に、全周に渡って嵌め込まれている。
【０２１８】
支持カバー体筒部２１２１の第２端部２１７１は、連結部２３０ａ側端部であり、支持カバー体鍔部２１３１を有している。支持カバー体鍔部２１３１は、環状形状をしており、連結部２３０ａを構造的に支えながら連結する連結部取付部として機能する。
【０２１９】
支持カバー体筒部２１２１の第２端部２１７１の連結部２３０ａ側にある支持カバー体鍔部２１３１の端面には、内端面２１５３と外端面２１５２とが形成されている。内端面２１５３と外端面２１５２とは環状面である。内端面２１５３は、外端面２１５２の内側にあり、外端面２１５２より一段高くなっている。
【０２２０】
支持カバー体鍔部２１３１の周縁部の３箇所には、略１２０度間隔で、ネジ孔２１４１を有するネジボス２１４２が形成されている。ネジボス２１４２とネジ孔２１４１は、内端面２１５３に形成されている。ネジボス２１４２は、中央に向かって半円状に突出している。ネジボス２１４２の形状は、離間凹部２１４０の形状に対応しており、ネジボス２１４２は、離間凹部２１４０に配置される。
【０２２１】
ネジ孔２１４１は、ネジボス２１４２を貫通しており、ネジ孔２１４１には、連結部２３０ａを取り付けるためのネジ２６０が挿通さる。ネジ孔２１４１は連結部２３０ａ及びネジ２６０の数に応じて形成されるものであり、４個以上形成されてもよく、異なる間隔（角度）で配置されてもよい。
支持カバー体鍔部２１３１の連結部２３０ａ側の端面は、支持本体鍔部２１３０の連結部２３０ａ側の端面とともに、第２ガスケット２５０ａを配置する第２ガスケット配置部として機能する。支持本体鍔部２１３０の連結部２３０ａ側の端面と支持カバー体鍔部２１３１の連結部２３０ａ側の端面とで形成される広い面に、第２ガスケット２５０ａが面接触する。
支持カバー体２１０１が支持本体２１００を覆った状態では、支持カバー体鍔部２１３１は支持本体鍔部２１３０よりも外側に配置される。
【０２２２】
本実施の形態では、支持本体２１００がアルミニウムなどの金属材料、すなわち導電性の材料を用いて製造される場合に、感電、地絡などを防止するために、口金と嵌合されており導電部となる支持本体２１００を電気的に絶縁する必要がある。支持カバー体２１０１は、支持本体２１００を照明具１の外側から電気的に絶縁する機能を有している。
【０２２３】
＜連結部２３０ａ＞
連結部２３０ａは、光源ユニット１０と支持ユニット２０ａとを両端部に連結して固定する。
連結部２３０ａは、光源ユニット１０から発生する熱を照明具１の外部に伝達する熱放散経路として機能する。
【０２２４】
連結部２３０ａの第１端部２３８は、支持体２１０ａ側端部であり、締結部２３１１を有している。締結部２３１１は、支持体２１０ａと締結される支持体取付部として機能する。締結部２３１１の支持体２１０ａ側の端面は、第２ガスケット２５０ａを配置する第２ガスケット配置部として機能する。締結部２３１１の支持体２１０ａ側の端面は広い平面であり、第２ガスケット２５０ａが面接触する。
連結部２３０ａの支持体２１０ａ側の端面の周縁部には、支持体２１０ａ側に向かって僅かに立ち上がる周壁２４７１が形成されている。周壁２４７１の内周形状は、第２ガスケット２５０ａの外周形状と同じである。周壁２４７１の高さは第２ガスケット２５０ａの厚さよりもやや小さい。
支持体２１０ａ側の端面における周壁２４７１より内側には、略中央部に配線部材３０を挿通するための配線穴２４８が形成されており、周壁２４７１側に略１２０度間隔で配置された３個のネジ孔２４８１が形成されている。ネジ孔２４８１には、支持ユニット２０ａを支持体２１０ａに取り付けるためのネジ２６０がねじ込まれる。ネジ孔２４８１は支持ユニット２０ａ及びネジ２６０の数に応じて形成されるものであり、４個以上形成されてもよく、異なる間隔（角度）で配置されてもよい。
【０２２５】
連結部２３０ａの第２端部２３９は、光源ユニット側端部であり、光源ユニット１０と連結される円環部２３３１を有している。
円環部２３３１は、光源ユニット支持部として機能する。
円環部２３３１には、略１２０度間隔で配置された３個のネジ孔２３４１が形成されている。ネジ孔２３４１には、支持ユニット２０ａを光源ユニット１０に取り付けるためのネジ５０がねじ込まれる。ネジ孔２３４は光源ユニット１０及びネジ５０の数に応じて形成されるものであり、４個以上形成されてもよく、異なる間隔（角度）で配置されてもよい。
【０２２６】
円環部２３３１は、上述した実施の形態の種々の第２端部蓋に対応した形状をしている。
円環部２３３１には、上述した実施の形態の種々の第２端部蓋に対応した数のブリッジが形成されている。ブリッジは、円環部２３３１の中央を横切っており、本実施の形態では円環部２３３１とブリッジとで形成される３個の扇形状の通気口２４６１が形成されている。
【０２２７】
ブリッジの一つは、幅太ブリッジ２４１１であり、残り２つは幅細ブリッジ２４２１である。幅太ブリッジ２４１１は、幅太橋１５７と同じ幅を有し、幅太ブリッジ２４１１には中央から外側に渡り長尺の溝部２３７１が形成されている。溝部２３７１には、長尺楕円状の第３ガスケット４０が配置され、第３ガスケット４０の内側に配線部材３０が配置される。溝部２３７１は、第３ガスケット配置部として機能し、かつ、電線対配置部として機能する。第３ガスケット４０は、光源ユニット１０と支持ユニット２０ａとの間に形成された配線経路を液密に封止する。
【０２２８】
締結部２３１１と円環部２３３１とは、突設部２３５１により結合されている。
突設部２３５１は、中心軸Ｏから略等角度で径方向に配置された３枚の放熱板２４０１と、放熱板２４０１の外側にある円柱部２４０２を有している。３枚の放熱板２４０１は矩形又は正方形であり、中心軸Ｏと平行にかつ中心軸Ｏから放射状に略１２０度の角度で配置されている。円柱部２４０２は、締結部２３１１と円環部２３３１とをつなぐ円筒である。円柱部２４０２は、３個のネジ孔２４８１に対応して略１２０度間隔で配置されており、円柱部２４０２の内部に締結部２３１１から円環部２３３１に向けてネジ孔２４８１が形成されている。
突設部２３５１には、３枚の放熱板２４０１により区切られた３個の突設空間２４９１が存在している。突設空間２４９１は、円柱を３分の１にした形状であり、突設空間２４９１の一端は内部空間１０７と直結しており、突設空間２４９１の外周は外気と直結している。突設空間２４９１は、内部空間１０７を延長した空間であり、突設空間２４９１と内部空間１０７との径は同じである。突設空間２４９１と内部空間１０７とは連続しており放熱版と重なる３個のブリッジを除いて障害物がないから、突設空間２４９１と内部空間１０７とは大気が自由に通過できる。
【０２２９】
放熱板２４０１の中心軸方向の一端は、円環部２３３１の３個のブリッジに結合されている。
放熱板２４０１の中心軸方向の他端は、締結部２３１１に結合されている。
円環部２３３１の放射状の３個のブリッジは突設部２３５１の端部に形成されており、３個のブリッジと３枚の放熱板２４０１とは連続している。
本体部１００から伝達されてきた熱は、円環部２３３１と３個のブリッジに伝わり、さらには、突設部２３５１に伝わり、３枚の放熱板２４０１から外気に放熱される。本体部１００、円環部２３３１、及び、突設部２３５１は熱放散経路としての機能を有する。
突設部２３５１の中央では、３枚の放熱板２４０１が接合されており、中心軸Ｏには配線部材３０を挿通させるための挿通部２３６１が形成されている。挿通部２３６１は、電線対配置部として機能する。
【０２３０】
＜第２ガスケット２５０ａ＞
第２ガスケット２５０ａは、電気絶縁性を有する絶縁材料を用いて製造されている。
第２ガスケット２５０ａは、弾力性があり、ゴム、シリコーン又は樹脂材料を用いて製造されている。
ガスケットとは、構造に気密性、液密性を持たせるために用いる固定用シール材である。
【０２３１】
第２ガスケット２５０ａは、環状且つ平板状であり、支持体２１０ａ及び連結部２３０ａに対応した外形を有しており、支持体２１０ａ又は連結部２３０ａに嵌合する概略三角形の形状である。
【０２３２】
＜第２ガスケット２５０ａの配線穴２５０１＞
第２ガスケット２５０ａには、略中央部に配線部材３０を挿通するために貫通させた配線穴２５０１が形成されている。配線穴２５０１は、第２ガスケット２５０ａの中央に形成された円形の開口である。配線穴２５０１の径は、円筒部２１５０の内径よりも小さい。
【０２３３】
＜第２ガスケット２５０ａの厚さ＞
第２ガスケット２５０ａには、配線穴２５０１の周囲に内厚部２５０３が形成されている。内厚部２５０３の周囲には、内厚部２５０３より薄い薄部２５０４が形成されている。薄部２５０４の周囲には、薄部２５０４より厚い外厚部２５０５が形成されている。
内厚部２５０３には、略１２０度間隔で３箇所に、ネジボス２１４２に対応した半円状の窪み２５０６が形成されている。窪み２５０６の形状は、離間凹部２１４０の形状に対応しており、窪み２５０６と離間凹部２１４０とは、ネジボス２１４２の外形と同じ内形を有している。
第２ガスケット２５０ａは、内厚部２５０３と薄部２５０４と外厚部２５０５とにより、薄部２５０４を底面とする凹部を形成している。
【０２３４】
＜第２ガスケット２５０ａの形状＞
第２ガスケット２５０ａの支持体２１０ａ側の面の形状は、支持本体鍔部２１３０の連結部２３０ａ側の端面に対応した形状であり、支持カバー体鍔部２１３１の連結部２３０ａ側の端面に対応した形状である。
支持本体鍔部２１３０の連結部２３０ａ側の端面は、外周縁を除き全面が、第２ガスケット２５０ａの支持体２１０ａ側の面で覆われている。
より具体的に述べれば、支持本体鍔部２１３０の連結部２３０ａ側の端面にある内端面２１５３の形状と、第２ガスケット２５０ａの支持体２１０ａ側の端面にある薄部２５０４の形状と同一であり、内端面２１５３は、薄部２５０４により覆われる。
支持本体筒部２１２０の内端面２１５３は、内厚部２５０３と薄部２５０４と外厚部２５０５とにより形成された凹部に嵌め込まれるように薄部２５０４と密着している。
【０２３５】
また、支持本体鍔部２１３０の連結部２３０ａ側の端面にある外端面２１５２の内側半分は、第２ガスケット２５０ａの支持体２１０ａ側の端面にある外厚部２５０５により覆われ、外端面２１５２の外側半分の外周縁は、周壁２４７１により覆われる。
【０２３６】
そして、第２ガスケット２５０ａの連結部２３０ａ側の面の形状は、締結部２３１１の支持体２１０ａ側の端面に対応した形状である。第２ガスケット２５０ａの連結部２３０ａ側の端面は、全面が、締結部２３１１の支持体２１０ａ側の端面で覆われている。
【０２３７】
さらに、第２ガスケット２５０ａの端縁に形成された外周形状は、周壁２４７１の内周の形状に対応している。すなわち、第２ガスケット２５０ａの外厚部２５０５の外周形状は、周壁２４７１の内周形状と同じであり、第２ガスケット２５０ａの外周は、全周が、周壁２４７１によって覆われている。このため、第２ガスケット２５０ａは、外部から見ることができない。
【０２３８】
第２ガスケット２５０ａが支持体２１０ａと嵌合した状態では、第２ガスケット２５０ａが支持カバー体鍔部２１３１の連結部２３０ａ側の端面及び支持カバー体鍔部２１３１の連結部２３０ａ側の端面と面接触する。また、第２ガスケット２５０ａが連結部２３０ａと嵌合した状態では、第２ガスケット２５０ａが締結部２３１１の支持体２１０ａ側の端面と面接触する。
【０２３９】
このように、第２ガスケット２５０ａの一方の面が、円筒部２１５０の端面の全面を覆っている。また、第２ガスケット２５０ａの他方の面全面と側面とは、連結部２３０ａにより覆われている。
【０２４０】
＜第２ガスケット２５０ａのネジ孔２５０２＞
そして、配線穴２５０１より端縁側にある薄部２５０４に、略１２０度間隔で第２ガスケット２５０ａを貫通した３個のネジ孔２５０２が形成されている。
第２ガスケット２５０ａが支持体２１０ａに嵌合した状態で、第２ガスケット２５０ａの３個のネジ孔２５０２と支持カバー体２１０１の３個のネジ孔２１４１とは重なる位置に配置されて連通する。第２ガスケット２５０ａが支持体２１０ａに嵌合した状態で、第２ガスケット２５０ａの３個のネジ孔２５０２と円環部２３３１のネジ孔２３４１とは重なる位置に配置されて連通する。
【０２４１】
３個のネジ孔２５０２には、円環部２３３１のネジ孔２３４１にねじ込まれるネジ２６０が支持カバー体２１０１のネジ孔２１４１側から挿通される。
支持体２１０ａがネジ２６０によって連結部２３０ａに取り付けられ、周壁２４７１と外端面２１５２とが接触した状態で、第２ガスケット２５０ａは、両面側から押圧されることによって支持体２１０ａと連結部２３０ａとに密着した状態で挟持される。
【０２４２】
＜支持プレート２１８＞
本実施の形態では、支持カバー体鍔部２１３１の口金側の外端面２１３２に支持プレート２１８が配置されている。
支持プレート２１８は、支持カバー体２１０１よりも損傷する可能性が少ない素材を用いて製造される。具体的には、支持プレート２１８は、アルミニウム製、あるいは、他の金属製が好適である。
支持プレート２１８は、リング状をしており、内径は、支持カバー体筒部２１２１の外径と同じである。したがって、支持本体２１００に亀裂が生じても、支持本体２１００の落下を防止できる。
また、支持プレート２１８の内径を、支持本体２１００の支持本体鍔部２１３０の外接円の径よりも小さくしておけば、支持カバー体２１０１が損傷してなくなっても、支持プレート２１８が、支持本体２１００の支持本体鍔部２１３０に引っかかるので、器具の落下を防止できる。
支持プレート２１８には、略１２０度間隔で配置された３個のネジ孔２１８１が形成されている。ネジ孔２１８１には、支持ユニット２０ａを支持体２１０ａに取り付けるためのネジ２６０がねじ込まれる。ネジ孔２１８１は支持ユニット２０ａ及びネジ２６０の数に応じて形成されるものであり、４個以上形成されてもよく、異なる間隔（角度）で配置されてもよい。
【０２４３】
＊＊＊実施の形態の効果の説明＊＊＊
【０２４４】
＜絶縁性＞
第２ガスケット２５０ａは、絶縁材料を用いて製造されているので、支持本体２１００及び連結部２３０ａが金属材料で製造されていても、両者の電気絶縁性を維持できる。つまり、支持本体２１００は、口金以外の構成部品との電気絶縁性を維持した状態で、連結部及び光源を支持することができる。
また、第２ガスケット２５０ａが内厚部２５０３と薄部２５０４と外厚部２５０５とにより凹部を形成して支持本体２１００の内端面２１５３を嵌め込んでいるので、支持本体２１００とネジ２６０との沿面距離が長くなり電気絶縁性が向上する。
【０２４５】
＜防水性＞
第２ガスケット２５０ａの広い面積を支持体２１０ａ及び連結部２３０ａと強く密着させることによって、防水性（水密性・液密性）を向上させることができる。
また、第２ガスケット２５０ａが内厚部２５０３と薄部２５０４と外厚部２５０５とにより凹部を形成して支持本体２１００の内端面２１５３を嵌め込んでいるので、防水性（水密性・液密性）を向上させることができる。
【０２４６】
＜耐衝撃性＞
第２ガスケット２５０ａは弾性力を有しており、第２ガスケット２５０ａが支持体２１０ａと連結部２３０ａとの接触面積を大きくすることによって、耐衝撃性（耐振性）を向上させることができる。
【０２４７】
なお、第２ガスケット２５０ａの接触面と支持体２１０ａの接触面とを互いにかみ合う凹凸形状にして接触面積（密着面積）を大きくし、また、第２ガスケット２５０ａの接触面と連結部２３０ａの接触面とを互いにかみ合う凹凸形状として接触面積（密着面積）を大きくすることによって、電気絶縁性、防水性（水密性・液密性）、耐衝撃性（耐振性）をさらに向上させることができる。
具体的には、支持本体鍔部２１３０の内端面２１５３に環状の凸部を設け、第２ガスケット２５０ａの薄部２５０４に環状の凹部を設け、内端面２１５３の凸部と薄部２５０４の凹部とかみ合わせることにより、電気絶縁性、防水性（水密性・液密性）、耐衝撃性（耐振性）をさらに向上させることができる。
【０２４８】
あるいは、第２ガスケット２５０ａの連結部２３０ａ側の面に環状の凸部を設け、締結部２３１１の支持体２１０ａ側の端面に環状の凹部を設けてかみ合わせることにより、電気絶縁性、防水性（水密性・液密性）、耐衝撃性（耐振性）をさらに向上させることができる。
【０２４９】
＜応力分散と脱落防止＞
支持プレート２１８は、支持カバー体２１０１のネジ孔に対するネジ２６０のネジ孔２１４１周辺に加わる局所的な応力を分散させるとともに、万が一、支持カバー体２１０１が損傷した場合であっても、支持カバー体２１０１あるいは器具本体が脱落するおそれを抑制することができる。
【０２５０】
実施の形態８．
本実施の形態では、実施の形態１〜７との差異を説明する。
本実施の形態では、主として、以下の効果を発揮する構成について説明する。
１．部品点数の低減
２．部品の一体化による防水性能の向上
３．軽量化
４．放熱性の改善
【０２５１】
＊＊＊構成の説明＊＊＊
【０２５２】
＜＜＜照明具１＞＞＞
実施の形態８の照明具１について、図５８から図６４を用いて説明する。
照明具１は、光源ユニット１０ｊと、光源ユニット１０ｊを支持固定する支持ユニット２０ｊとを有している。
【０２５３】
＜＜光源ユニット１０ｊ＞＞
光源ユニット１０ｊは、本体部１００ｊと、発光部１２０と、カバー１３０と、第１端部蓋１４０ｊとを有している。
【０２５４】
＜本体部１００ｊ＞
図５８に示すように、本体部１００ｊは、外周側表面に外周面１１０ｊを有し、内周側表面に内周面１０３ｊを有する。
本体部１００ｊには、外周面１１０ｊに前記発光部１２０が配置される取付部１０２ｊと、取付部１０２ｊに対向した内周面１０３ｊに発光部１２０が発する動作熱を放散させる熱放散部１０５ｊとが形成されている。
外周面１１０ｊの取付部１０２ｊは、本体部１００ｊの外周部であり、発光素子１２１が配置される。
【０２５５】
本体部１００ｊは、熱伝達経路あるいは熱伝達部となる筒部１０１ｊを有する。筒部１０１ｊは十二角柱で、中心軸Ｏと直交する断面における外接円の径寸法が均一の管体である。
本体部１００ｊは、筒状であり、一端および他端が開放されている。
熱放散部１０５ｊは、複数の放熱フィン１０８ｊからなる。
筒部１０１ｊには、筒端部として端部１０４がある。
【０２５６】
端部１０４には、ネジ孔１０６がある。
一方の端部１０４のネジ孔１０６には、第１端部蓋１４０ｊを取り付けるためのネジ１７０がねじ込まれる。
他方の端部１０４のネジ孔１０６には、連結蓋７００と、支持体２１０ｊとを取り付けるためのネジ２６０がねじ込まれる。
【０２５７】
本体部１００ｊの内部には、内部空間１０７が形成されている。内部空間１０７は、熱交換部として機能し、空気の流路となる。内部空間１０７は、筒部１０１ｊの内側の空間全体をいう。
【０２５８】
内部空間１０７の中央には、通気空間１０９ｊが存在する。
通気空間１０９ｊは、内部空間１０７の中央にある。
通気空間１０９ｊは、熱放散部１０５ｊが形成されていない筒状の空間であり、中心軸Ｏの方向への通気に対して障害物が全くない空間をいう。
通気空間１０９ｊは内部空間１０７の一部であり、通気空間１０９ｊを他の空間から区画する境界物あるいは隔壁は存在しない。
カバー１３０は、発光素子を覆うように本体部１００ｊの外側に配置される。
【０２５９】
＜第１端部蓋１４０ｊ＞
第１端部蓋１４０ｊは、本体部１００ｊ（筒部１０１ｊ）の一端部１０４およびカバー１３０の一端部１３４を覆うように本体部１００ｊに取り付けられている端部蓋である。
第１端部蓋１４０ｊは、本体部１００ｊ（筒部１０１ｊ）とカバー１３０との一端部を覆う蓋であり、第１キャップとして機能する。
【０２６０】
図６１と図６２に示すように、第１端部蓋１４０ｊは、主部となる円環部１４１を有している。円環部１４１は、ドーナツ形状をしている。円環部１４１は、外縁にカバー１３０の端部１３４を覆う環状庇１４９を有している。
第１端部蓋１４０ｊは、第１ガスケット１６０ｊを配置する環状の溝部１４２を有する。溝部１４２は第１ガスケット配置部として機能する。
【０２６１】
第１端部蓋１４０ｊには、前述した実施の形態で示した橋部１４４がない。
第１端部蓋１４０ｊは、橋部１４４がないので、円形状の通気口１４６ｊを形成している。
通気口１４６ｊは、本体部１００ｊの内部空間１０７と外部空間とを連通させる開口である。
第１端部蓋１４０ｊは、９０度間隔で配置された４個のネジ台１４５を有する。ネジ台１４５は、円環部１４１の表面よりも中心軸Ｏと平行な方向に隆起した厚肉部分である。ネジ台１４５の一部は半径方向内側に向かって突き出ている。
ネジ台１４５は、中央にネジ孔１４３を有する。ネジ孔１４３には、第１端部蓋１４０ｊを取り付けるためのネジ１７０が挿通される。
【０２６２】
＜＜支持ユニット２０ｊ＞＞
支持ユニット２０ｊには、発光素子１２１を点灯させる点灯電力を外部から受電する受電端２００が取り付けられている。
支持ユニット２０ｊには、受電端２００から発光素子１２１が実装された基板１２２に点灯電力を伝達する配線部材３０を配置する配線経路が形成されている。
図６１と図６２に示すように、支持ユニット２０ｊは、支持プレート２１８ｊ、筒形状の支持体２１０ｊ、第２ガスケット２５０ｊ、連結蓋７００、第１ガスケット１６０ｊ、及び、これらを一体化するネジ２６０を有している。
ネジ２６０によって、支持プレート２１８ｊ、支持体２１０ｊ、第２ガスケット２５０ｊ、連結蓋７００、第１ガスケット１６０ｊ、及び、本体部１００ｊが一体化されて強固な構造体となる。
【０２６３】
＜支持体２１０ｊ＞
支持体２１０ｊは、一端が筒部１０１ｊに取り付けられているとともに、他端が口金筐体２０１に取り付けられている。
図６１と図６２に示すように、支持体２１０ｊは、口金筐体２０１と嵌合した状態で内側に配置された支持本体２１００ｊと、支持本体２１００ｊを覆うように外側に配置された支持カバー体２１０１ｊとから構成されている。
支持プレート２１８ｊと支持カバー体２１０１ｊは、支持本体２１００ｊ、第２ガスケット２５０ｊ、連結蓋７００、及び、第１ガスケット１６０ｊを間にして、ネジ２６０によって筒部１０１ｊに取り付けられている。
【０２６４】
＜支持本体２１００ｊ＞
図６１と図６２に示すように、支持本体２１００ｊは、一端が連結蓋７００に固定され、他端が口金筐体２０１に取り付けられている。
支持本体２１００ｊは、筒形状の支持本体筒部２１２０ｊを有しており、支持本体筒部２１２０ｊは、円筒形状の円筒部２１５０ｊと、口金筐体２０１が嵌めこまれる螺合部２１１０ｊとを有している。
円筒部２１５０ｊの外径は螺合部２１１０ｊの外径よりも大きく、円筒部２１５０ｊと螺合部２１１０ｊとは、段差部２１５１ｊを介して連続している。
支持本体筒部２１２０ｊの第１端部２１６０ｊは、口金側端部である。
支持本体筒部２１２０ｊの第２端部２１７０ｊは、連結蓋７００側端部であり、支持本体鍔部２１３０ｊを有している。
支持本体鍔部２１３０ｊは、環状形状をしており、連結蓋７００を構造的に支えながら連結蓋７００を連結する。
【０２６５】
支持体２１０ｊと連結蓋７００との間には第２ガスケット２５０ｊが配置されている。
支持本体鍔部２１３０ｊの連結蓋７００側の端面は、第２ガスケット２５０ｊを配置する第２ガスケット配置部として機能する。
支持本体鍔部２１３０ｊには、支持本体２１００ｊとネジ２６０とが直接接触しないように、周縁部の４箇所に略９０度間隔で離間凹部２１４０ｊが形成されている。離間凹部２１４０ｊは、半円状の凹部である。
【０２６６】
＜支持カバー体２１０１ｊ＞
図６１と図６２に示すように、支持カバー体２１０１ｊは、支持本体２１００ｊの外側に配置されている。
【０２６７】
支持カバー体２１０１ｊは、支持本体２１００ｊの連結蓋７００側端部である第２端部２１７０ｊ側を覆った状態で、４本のネジ２６０を用いて連結蓋７００に取り付けられている。
支持カバー体２１０１ｊは、支持本体筒部２１２０ｊの円筒部２１５０ｊを覆う筒形状の支持カバー体筒部２１２１ｊを有している。
【０２６８】
支持カバー体筒部２１２１ｊの第１端部２１６１ｊは、口金側端部であり、第１端部２１６１ｊには、支持カバー体筒部２１２１ｊの筒形状の胴部から内側に９０度折り曲がった庇形状の環状部２１６２ｊが形成されている。
支持カバー体筒部２１２１ｊの第１端部２１６１ｊの庇形状の環状部２１６２ｊは、口金筐体２０１と支持本体筒部２１２０ｊの段差部２１５１ｊとの間に設けられた隙間に、全周に渡って嵌め込まれている。
【０２６９】
支持カバー体筒部２１２１ｊの第２端部２１７１ｊは、連結蓋７００側端部であり、支持カバー体鍔部２１３１ｊを有している。支持カバー体鍔部２１３１ｊは、環状形状をしており、連結蓋７００を構造的に支えながら連結蓋７００を連結する。
【０２７０】
支持カバー体筒部２１２１ｊの第２端部２１７１ｊの連結蓋７００側にある支持カバー体鍔部２１３１ｊの端面には、内端面２１５３ｊと外端面２１５２ｊとが形成されている。内端面２１５３ｊと外端面２１５２ｊとは環状面である。内端面２１５３ｊは、外端面２１５２ｊの内側にあり、外端面２１５２ｊより一段高くなっている。
【０２７１】
支持カバー体鍔部２１３１ｊの周縁部の４箇所には、略９０度間隔で、ネジ孔２１４１ｊを有するネジボス２１４２ｊが形成されている。ネジボス２１４２ｊとネジ孔２１４１ｊは、内端面２１５３ｊに形成されている。ネジボス２１４２ｊは、中央に向かって半円状に突出している。ネジボス２１４２ｊの形状は、離間凹部２１４０ｊの形状に対応しており、ネジボス２１４２ｊは、離間凹部２１４０ｊに配置される。
【０２７２】
ネジ孔２１４１ｊは、ネジボス２１４２ｊを貫通しており、ネジ孔２１４１ｊには、連結蓋７００を取り付けるためのネジ２６０が挿通される。
支持カバー体鍔部２１３１ｊの連結蓋７００側の端面は、支持本体鍔部２１３０ｊの連結蓋７００側の端面とともに、第２ガスケット２５０ｊを配置する第２ガスケット配置部として機能する。支持本体鍔部２１３０ｊの連結蓋７００側の端面と支持カバー体鍔部２１３１ｊの連結蓋７００側の端面とで形成される広い面に、第２ガスケット２５０ｊが面接触する。
支持カバー体２１０１ｊが支持本体２１００ｊを覆った状態では、支持カバー体鍔部２１３１ｊは支持本体鍔部２１３０ｊよりも外側に配置される。
【０２７３】
＜連結蓋７００＞
図５９に示すように、連結蓋７００は、光源ユニット１０ｊと支持体２１０ｊとを両端部に連結して固定する。
連結蓋７００は、発光素子１２１から発生する熱を照明具１の外部に伝達する熱放散経路として機能する。
【０２７４】
図６３と図６４に示すように、連結蓋７００は、締結部７０３と第２端部蓋１５０ｊと脚部７０５とを有する。
締結部７０３は、支持体２１０ｊと締結されている。
第２端部蓋１５０ｊは、本体部１００ｊに取り付けられている。
脚部７０５は、締結部７０３と第２端部蓋１５０ｊの間にあり、締結部７０３と第２端部蓋１５０ｊとを一体的に接続している。
第１端部７０１は、締結部７０３の受電端２００側の端部であり、支持体２１０ｊを連結する部分である。
第２端部７０２は、第２端部蓋１５０ｊの本体部１００側の端部であり、本体部１００ｊを連結する部分である。
【０２７５】
＜締結部７０３＞
図６３と図６４に示すように、締結部７０３は、周壁部７０３０と底壁部７０３１（締結面部７０３２）とを有する。
周壁部７０３０は、環状の壁である。
周壁部７０３０の内周には、第２ガスケット２５０ｊが嵌め込まれる。
底壁部７０３１は、周壁部７０３０に囲まれた円形の平面である。
底壁部７０３１は、第２ガスケット２５０ｊと配線穴２５０１ｊとが面接触する締結面部７０３２となる部分である。
【０２７６】
＜第２端部蓋１５０ｊ＞
図６１と図６２に示すように、第２端部蓋１５０ｊは、本体部１００ｊ（筒部１０１ｊ）の他端部１０４およびカバー１３０の他端部１３４を覆うように本体部１００ｊに取り付けられている。
第２端部蓋１５０ｊは、本体部１００ｊ（筒部１０１ｊ）とカバー１３０との他端部を覆う蓋であり、第２キャップとして機能する。
第２端部蓋１５０ｊには、前述した実施の形態で示した橋部１４４がない。
第２端部蓋１５０ｊは、橋部１４４がないので、円形状の通気口１５６ｊを形成している。
【０２７７】
図６３と図６４に示すように、第２端部蓋１５０ｊは、主部となる円環部７０４を有している。
円環部７０４は、ドーナツ形状をしている。
円環部７０４は、外縁にカバー１３０の端部１３４を覆う周壁部７０４０を有している。
周壁部７０４０は、円環部７０４の外縁から本体部１００ｊ側に立設された環状の壁である。
周壁部７０４０の内周には、第１ガスケット１６０ｊが嵌め込まれる。
第２端部蓋１５０ｊは、円環部７０４に形成された仕切壁部７０４１を有する。
仕切壁部７０４１は、周壁部７０４０の内側において本体部１００側に立設された２個の弧状の壁である。
仕切壁部７０４１は、溝部７０４２と環状配置部７０４６とを仕切っている環状の凸壁である。
【０２７８】
第２端部蓋１５０ｊは、第１ガスケット１６０ｊを配置する環状の溝部７０４２と環状配置部７０４６とを有する。溝部７０４２と環状配置部７０４６とは第１ガスケット配置部として機能する。
溝部７０４２は、周壁部７０４０と仕切壁部７０４１とにより、弧状に形成されている。
溝部７０４２は、半径方向の断面が凹形状であり、溝底部７０４３と溝外壁部７０４４と溝内壁部７０４５とを有する。
溝底部７０４３は、溝部７０４２の底面である。
溝外壁部７０４４は、溝部７０４２の外周面であり、周壁部７０４０の内周面である。
溝内壁部７０４５は、溝部７０４２の内周面であり、仕切壁部７０４１の外周面である。
溝外壁部７０４４と溝内壁部７０４５とは、溝の内側側面であり対向している帯状の面である。
【０２７９】
環状配置部７０４６は、仕切壁部７０４１の内周側に形成されている。
環状配置部７０４６は、配置立面部７０４７と配置底面部７０４８を有する。
配置立面部７０４７と配置底面部７０４８とは、直交している。
配置立面部７０４７は、仕切壁部７０４１の内壁であり、帯状の環状面である。
配置底面部７０４８は、仕切壁部７０４１の内側にあり、円環部７０４のリング状の平面である。
【０２８０】
＜脚部７０５＞
図６３と図６４に示すように、脚部７０５は、第２端部蓋１５０ｊと締結部７０３との径方向における外縁側の複数の箇所どうしを一体的に接続している。
脚部７０５は、９０度間隔で等間隔に配置された４個の脚を有する。
脚部７０５は、１８０度間隔で配置された２個の第１脚部７０５０と１８０度間隔で配置された２個の第２脚部７０５１とからなる４個の脚を有する。
脚部７０５の間には、４個の通気口２４６が形成されている。
通気口２４６は、第２端部蓋１５０ｊの中央の通気口１５６ｊと連続しており、脚部７０５の間の形成されている。
通気口１５６ｊと通気口２４６は、内部空間１０７ｊを外部空間に繋いでいる通気空間である。
【０２８１】
＜第１脚部７０５０＞
第１脚部７０５０は、円環部７０４の仕切壁部７０４１が形成されていない部分に形成されている。
第１脚部７０５０の内部は中空であり、筒状に形成されている。
図６３と図６４に示すように、第１脚部７０５０は、傾斜部７０５２と側部７０５３と覆い部７０５４と外壁７０５５とテーパー部７０５６を有する。
覆い部７０５４は、２個の仕切壁部７０４１の間の部分において配置底面部７０４８から半径方向内側に突き出た天板である。
傾斜部７０５２は、覆い部７０５４の内周端部から略４５度の傾斜角度で締結面部７０３２に向かって傾斜した矩形の平面である。
側部７０５３は、傾斜部７０５２の両側にある平行な２枚の側面板である。
側部７０５３は、傾斜部７０５２の両サイドを覆うように傾斜部７０５２の両サイドの端面から締結面部７０３２に対して垂直に形成された台形形状又は尾翼形状の壁である。
外壁７０５５は、傾斜部７０５２の幅と同じ幅を有しており、締結部７０３と同一半径の外周壁である。
テーパー部７０５６は、外壁７０５５と円環部７０４との接続部分に形成されている。
テーパー部７０５６の傾斜角度は、傾斜部７０５２の傾斜角度と同じであり、４５度である。
テーパー部７０５６は、貫通孔１６０９ｊを４５度の角度で覆うカバーの機能を有している。
【０２８２】
第１脚部７０５０の内部の中空部分には、中心軸Ｏと平行にリブ７０６が形成されている。
リブ７０６は、外壁７０５５の内周壁に沿って形成されている。
覆い部７０５４とリブ７０６との中央には、ネジ２６０が貫通するネジ孔７０７が形成されている。
【０２８３】
＜第２脚部７０５１＞
第２脚部７０５１は、中心軸Ｏと平行に形成されている角柱状の柱である。
第２脚部７０５１の中央には、ネジ２６０が貫通するネジ孔７０７が形成されている。
【０２８４】
＜挿通部７０８＞
図６５と図６６に示すように、連結蓋７００は第１脚部７０５０に挿通部７０８を有する。
挿通部７０８は、第１脚部７０５０に形成された中空部分である。
第１脚部７０５０に形成された中空部分は、以下の内面で形成されている。
傾斜部７０５２の傾斜内面
側部７０５３の平行な内側面
覆い部７０５４の下内面
外壁７０５５の内周面
テーパー部７０５６の内周面
【０２８５】
図６５と図６６に示すように、第１脚部７０５０に形成された中空部分の半径方向の断面は、一方の脚の内角が９０度の台形形状をしている。
挿通部７０８が、配線部材３０を挿通する部分として機能する部分は、図６５と図６６に示すように、第１脚部７０５０の中空部分に形成されている平行六面体の形状をしている部分である。
平行六面体の半径方向の断面は、内角が４５度の平行四辺形をしている。
【０２８６】
挿通部７０８は、脚部７０５が第２端部蓋１５０ｊと締結部７０３とを接続している方向に沿って形成されている。
挿通部７０８は、連結蓋７００を中心軸Ｏと平行な方向に貫通している貫通空間を形成している。
連結蓋７００が本体部１００ｊに取り付けられた状態において、貫通空間は点灯空間１３７と繋がっている。
貫通空間は、配線部材３０を通す配線空間又は空気を通す通気空間となる。
挿通部７０８は、第１挿通口７０９と第２挿通口７１０とを有する。
挿通部７０８は、第１挿通口７０９と第２挿通口７１０との間に存在する空間である。
【０２８７】
＜第１挿通口７０９＞
図６５と図６６に示すように、第１挿通口７０９は、挿通部７０８の締結部７０３の側の開口である。
第１挿通口７０９は、第２ガスケット２５０ｊが取り付けられた状態で、第２ガスケット２５０ｊの内厚部２５０３ｊにより外周半分が覆われる。
第２ガスケット２５０ｊは、第１脚部７０５０に形成された中空部分の開口部分の半径方向の外側半分を覆っている。
第１挿通口７０９の内周半分は、配線部材３０を挿通する部分として機能する。
挿通部７０８の締結部７０３の側の開口部分は、第１挿通口７０９のみである。
【０２８８】
＜第２挿通口７１０＞
第２挿通口７１０は、第１挿通口７０９と連通するように覆い部７０５４に設けられた４個の貫通孔である。
第２挿通口７１０の半径方向外側の外壁は、テーパー部７０５６の傾斜面により形成されており、４５度の傾斜角で傾斜している。
第２挿通口７１０は、中心軸Ｏから外壁７０５５と同じ半径の位置に形成されている。
第２挿通口７１０は、テーパー部７０５６が外側に傾斜しているので、第１挿通口７０９と連通することができる。
２個の第２挿通口７１０は、それぞれ２個の仕切壁部７０４１の間に形成されている。
２個の第２挿通口７１０は、ネジ孔７０７の近傍に２個設けられている。
挿通部７０８の円環部７０４の側は、第２挿通口７１０を除き、覆い部７０５４に覆われている。
【０２８９】
＜貫通孔７１１＞
第１脚部７０５０は、外部空間から挿通部７０８に貫通する貫通孔７１１を有する。
貫通孔７１１は、２個の第１脚部７０５０のうち片方の第１脚部７０５０の傾斜部７０５２の中央に形成されている円筒孔である。
貫通孔７１１は、外部空間から挿通部７０８に向かって傾斜部７０５２を貫通している。
貫通孔７１１は、外部空間と貫通空間とを繋いでいる。
貫通孔７１１は、傾斜部７０５２と直交する方向に形成されている。
貫通孔７１１は、挿通部７０８の貫通空間が形成されている方向（中心軸Ｏと平行な方向）とは異なる方向に形成されている。
貫通孔７１１は、第１挿通口７０９が形成されている方向とは直交する方向に形成されている。
傾斜部７０５２の貫通孔７１１には、通気フィルタ８００が配置されている。
通気フィルタ８００は、貫通孔７１１を覆っている蓋であり、多孔質膜その他のフィルタであり、通気性と液密性とを兼ね備えたフィルタである。
【０２９０】
＜連結部７９０＞
図５８に示すように、連結部７９０は、本体部１００ｊに取り付けられている連結蓋７００と口金受電端２００が取り付けられている支持体２１０ｊとを有する。
連結部７９０は、支持ユニット２０ｊの主たる構成要素である。
連結蓋７００および支持体２１０ｊは、共通の固定具を用いて本体部１００ｊに取り付けられている。共通の固定具の具体例はネジ２６０である。
連結部７９０は、本体部１００ｊの側の端部にある連結蓋７００の第２端部７０２が本体部１００ｊおよびカバーの他端を覆うように、本体部１００ｊに取り付けられている。
連結部７９０の本体部１００ｊと反対側の端部にある支持本体２１００ｊの螺合部２１１０ｊに、口金受電端２００が取り付けられている。
連結部７９０は、本体部１００ｊの側の端部にある連結蓋７００の第２端部７０２が点灯空間１３７を塞ぐように、本体部１００ｊに取り付けられている。
【０２９１】
＜第２ガスケット２５０ｊ＞
図６１と図６２に示すように、第２ガスケット２５０ｊは、環状且つ平板状であり、支持体２１０ｊ及び連結蓋７００に対応した外形を有しており、支持体２１０ｊと連結蓋７００に嵌合する概略リング形状をしている。
【０２９２】
第２ガスケット２５０ｊには、略中央部に配線部材３０を挿通するために貫通させた配線穴２５０１ｊが形成されている。
配線穴２５０１ｊは、第２ガスケット２５０ｊの中央に形成された円形の開口である。
配線穴２５０１ｊの径は、円筒部２１５０ｊの内径と同じである。
【０２９３】
第２ガスケット２５０ｊには、第１挿通口７０９に対応して１８０度方向に２個の内厚部２５０３ｊが形成されている。
内厚部２５０３ｊの周囲には、内厚部２５０３より薄い薄部２５０４ｊが形成されている。
内厚部２５０３ｊは、傾斜部７０５２に形成された窪みに嵌め込まれる。
第１挿通口７０９は、内厚部２５０３ｊの内周壁と傾斜部７０５２との間に形成される。
【０２９４】
第２ガスケット２５０ｊの支持体２１０ｊ側の面の形状は、支持本体鍔部２１３０ｊの連結蓋７００側の端面に対応した形状であり、支持カバー体鍔部２１３１ｊの連結蓋７００側の端面に対応した形状である。
支持本体鍔部２１３０ｊの連結蓋７００側の端面は、全面が、第２ガスケット２５０ｊの支持体２１０ｊ側の面で覆われている。
【０２９５】
第２ガスケット２５０ｊの連結蓋７００側の面の形状は、締結部７０３の支持体２１０ｊ側の端面に対応した形状である。第２ガスケット２５０ｊの連結蓋７００側の端面は、全面が、連結蓋７００の支持体２１０ｊ側の端面で覆われている。
【０２９６】
第２ガスケット２５０ｊの端縁に形成された外周形状は、締結部７０３の内周の形状と同じであり、第２ガスケット２５０ｊの外周は、全周が、締結部７０３によって覆われている。
【０２９７】
第２ガスケット２５０ｊが支持体２１０ｊと嵌合した状態では、第２ガスケット２５０ｊが支持カバー体２１０１ｊの連結蓋７００側の端面及び支持本体２１００ｊの連結蓋７００側の端面と面接触する。
また、第２ガスケット２５０ｊが連結蓋７００と嵌合した状態では、第２ガスケット２５０ｊの外縁と外周壁とが締結部７０３の端面と接触する。
【０２９８】
第２ガスケット２５０ｊは、略９０度間隔で第２ガスケット２５０ｊを貫通した４個のネジ孔２５０２ｊが形成されている。
２個のネジ孔２５０２ｊは、内厚部２５０３の中央に形成されている。
２個のネジ孔２５０２ｊは、薄部２５０４ｊに形成されている。
【０２９９】
＜第１ガスケット１６０ｊ＞
図６１と図６２に示すように、第１ガスケット１６０ｊは、本体部１００ｊとカバー１３０との一端と他端に取り付けられるため２個存在する。
２個の第１ガスケット１６０ｊの形状は同じものである。
したがって、本体部１００ｊとカバー１３０との一端と他端とは同一形状を有している。
また、第１端部蓋１４０ｊと第２端部蓋１５０ｊとの本体部１００ｊ側の形状は、同一である。
第１ガスケット１６０ｊは、カバー１３０の端部１３４と全周で密着する。
【０３００】
第１ガスケット１６０ｊは、カバーガスケット１６１ｊの部分と筒部ガスケット１６２ｊの部分とが接続部１６０８ｊにより一体化されている。
カバーガスケット１６１ｊは、環状の溝を有する。
筒部ガスケット１６２ｊは、正１２角形の環壁を有する。
接続部１６０８ｊの裏側には、弧状溝１６３が形成されている。
弧状溝１６３は、仕切壁部７０４１に対応して２個設けられている。
弧状溝１６３は、仕切壁部７０４１を嵌め込むことにより、中心軸Ｏを中心とする第１端部蓋１４０ｊと第１ガスケット１６０ｊとの回転角度位置を決定する。
【０３０１】
図６１に示すように、第１ガスケット１６０ｊは、４個の凸部１６０７を有する。
２個の凸部１６０７は、それぞれ円環部７０４の弧状溝１６３の間に形成されている。
４個の凸部１６０７は、４個の第２挿通口７１０に対応した位置に形成されている。
凸部１６０７の半径方向の外側にある外側壁は４５度の傾斜角で傾斜している。
図６５と図６６に示すように、凸部１６０７は、テーパー部７０５６と覆い部７０５４とが交わる角に配置されている。
【０３０２】
接続部１６０８ｊには、４個の貫通孔１６０９ｊが設けられている。
貫通孔１６０９ｊは、接続部１６０８ｊと凸部１６０７とを貫通している。
２個の貫通孔１６０９ｊは、それぞれ２個の弧状溝１６３の間に形成されている。
４個の貫通孔１６０９ｊは、４個の第２挿通口７１０に対応した位置に形成されている。
弧状溝１６３に仕切壁部７０４１を嵌め込むことにより、図６５と図６６に示すように、凸部１６０７が第２挿通口７１０に位置合わせされて嵌め込まれ、貫通孔１６０９ｊと第２挿通口７１０とが中心軸Ｏと平行な方向に繋がる。
【０３０３】
＜＜点灯空間１３７と内部空間１０７ｊ＞＞
本体部１００ｊとカバー１３０との間には、発光素子１２１が配置される点灯空間１３７が形成されている。
本体部１００ｊは、点灯空間１３７と反対側に内部空間１０７ｊを形成している。
内部空間１０７ｊは、本体部１００ｊの内周側に形成されている。
第１端部蓋１４０ｊは、点灯空間１３７を塞ぐように本体部１００ｊに取り付けられている。
第１端部蓋１４０ｊは、内部空間１０７ｊを開放するように本体部１００ｊに取り付けられている。
連結部７９０は、点灯空間１３７を塞ぐように本体部１００ｊに取り付けられている。
連結部７９０は、内部空間１０７を開放するように本体部１００ｊに取り付けられている。
点灯空間１３７は、一端および他端において閉塞されている。
内部空間１０７ｊは、一端および他端において外部空間と繋がっている。
内部空間１０７ｊは、本体部１００ｊの一端で、第１端部蓋１４０ｊの通気口１４６ｊを経由して、外部空間と繋がっている。
内部空間１０７ｊは、本体部１００ｊの他端で、第２端部蓋１５０ｊの通気口１５６ｊと脚部７０５の４個の通気口２４６とを経由して、外部空間と繋がっている。
【０３０４】
＜＜配線経路＞＞
図６５により、配線経路について説明する。
配線部材３０が照明具１の外部に露出しないように、支持ユニット２０ｊの内部に配線経路が形成されている。
【０３０５】
点灯空間１３７からの配線経路とは、以下の経路をいう。
１．第１ガスケット１６０ｊの貫通孔１６０９ｊ、
２．連結蓋７００の第２挿通口７１０、挿通部７０８及び第１挿通口７０９、
３．第２ガスケット２５０ｊの配線穴２５０１ｊ、
４．支持体２１０ｊの支持本体２１００ｊの中央開口。
【０３０６】
配線経路となる挿通部７０８は、貫通孔７１１が形成されていない第１脚部７０５０の挿通部７０８である。
発光素子１２１は、挿通部７０８を経由して、口金受電端２００と点灯空間１３７との間に配置される配線部材３０によって点灯電力の供給を受けることができる。
【０３０７】
＜＜通気経路＞＞
図６６により、通気経路について説明する。
点灯空間１３７は、一端および他端において閉塞されているが、点灯空間１３７と外部空間とが繋がるように、支持ユニット２０ｊの内部に通気経路が形成されている。
通気経路となる挿通部７０８は、貫通孔７１１が形成されている第１脚部７０５０の挿通部７０８である。
【０３０８】
点灯空間１３７からの通気経路とは、以下の経路をいう。
１．第１ガスケット１６０ｊの貫通孔１６０９ｊ、
２．連結蓋７００の第２挿通口７１０及び挿通部７０８
３．傾斜部７０５２の貫通孔７１１、
４．貫通孔７１１に取り付けられた通気フィルタ８００、
５．通気口２４６。
【０３０９】
＜＜連結蓋７００の特徴＞＞
連結蓋７００の特徴は、以下のとおりである。
【０３１０】
＜特徴１＞
連結蓋７００は、光源ユニット１０ｊと支持ユニット２０ｊを固定している一つの部品である。
【０３１１】
＜特徴２＞
光源ユニット１０ｊには、点灯空間１３７がある。
支持ユニット２０ｊには、配線経路となる開口がある。
連結蓋７００は、光源ユニット１０ｊの点灯空間１３７をカバーする蓋部を有する。
連結蓋７００は、支持体２１０ｊの開口をカバーする蓋部を有する。
連結蓋７００は、点灯空間１３７を閉空間とし、支持体２１０ｊの配線経路を閉空間とする。
【０３１２】
＜特徴３＞
連結蓋７００は、２個の蓋部を繋ぐ脚部７０５を有する。
脚部７０５は、光源ユニット１０ｊの点灯空間１３７と支持体２１０ｊの開口とを繋ぐ挿通部７０８を有する。
挿通部７０８は、点灯空間１３７へ配線部材３０を通す。
脚部７０５は、点灯空間１３７を外部空間に繋ぐ通気フィルタ８００を有する。
【０３１３】
＜特徴４＞
連結蓋７００は、点灯空間１３７をカバーする蓋部の中央の通気口１５６ｊと脚部７０５の間の形成された通気口２４６を有する。
光源ユニット１０ｊには、点灯空間１３７の中央に内部空間１０７ｊがある。
連結蓋７００の通気口１５６ｊと通気口２４６は、内部空間１０７ｊを外部空間に繋いでいる。
連結蓋７００は、光源ユニット１０ｊの内部空間１０７ｊをカバーしていない。
【０３１４】
＊＊＊製造方法＊＊＊
照明具１の製造方法は以下のとおりである。
各部品は予め揃っているものとする。
【０３１５】
本体部１００ｊに発光部１２０を取り付ける。
発光部１２０の基板１２２に配線部材３０を半田付けする。
【０３１６】
＜第１端部蓋１４０ｊの取り付け工程＞
第１端部蓋１４０ｊに第１ガスケット１６０ｊを配置する。
本体部１００ｊの一端部に第１端部蓋１４０ｊをネジ止めする。
本体部１００ｊをカバー１３０に挿入してカバー１３０の一端部を第１ガスケット１６０ｊに当てる。
この時点で、光源ユニット１０ｊが完成する。
【０３１７】
＜支持ユニット２０ｊの取り付け工程＞
別な第１ガスケット１６０ｊの貫通孔１６０９ｊに配線部材３０を通す。
その際、１個の貫通孔１６０９ｊに１本の配線部材３０を通す。
第１ガスケット１６０ｊを本体部１００ｊとカバー１３０との他端部に当てる。
連結蓋７００の貫通孔７１１に通気フィルタ８００を取り付ける。
連結蓋７００の挿通部７０８に配線部材３０を通す。配線部材３０は、テーパー部７０５６により半径方向内側に曲がりながら挿通部７０８を通過する。
連結蓋７００の仕切壁部７０４１を第１ガスケット１６０ｊの弧状溝１６３に嵌め込み、さらに、連結蓋７００の第２挿通口７１０に凸部１６０７を挿入し、連結蓋７００を第１ガスケット１６０ｊに嵌め合わせる。
配線部材３０は、テーパー部７０５６により４５度の範囲内で半径方向内側に曲げられて配置される。
【０３１８】
配線穴２５０１ｊに配線部材３０を通し、第２ガスケット２５０ｊを連結蓋７００の締結部７０３に嵌め込む。
支持体２１０ｊの支持本体２１００ｊを第２ガスケット２５０ｊに当て、支持本体２１００ｊに支持カバー体２１０１ｊを被せる。
さらに、支持カバー体２１０１ｊに支持プレート２１８ｊを被せる。
第１ガスケット１６０ｊと、連結蓋７００と、第２ガスケット２５０ｊと、支持本体２１００ｊと、支持カバー体２１０１ｊと、支持プレート２１８ｊとをネジ２６０で筒部１０１ｊに固定する。
【０３１９】
第１端部蓋１４０ｊの取り付け工程と支持ユニット２０ｊの取り付け工程は、順番が逆でもよい。
【０３２０】
配線部材３０を受電端２００に半田付けし、受電端２００を支持体２１０ｊにねじ込んで固定する。
この時点で、照明具１が完成する。
【０３２１】
＊＊＊実施の形態の効果の説明＊＊＊
【０３２２】
この実施の形態によれば、前述した実施の形態で説明した光源ユニット１０の第２端部蓋１５０と支持ユニット２０の連結部２３０とを一体成型して、連結蓋７００としたので、部品点数を低減することができ、量産性と組立性とが向上する。
また、連結蓋７００を一体成型しているので、防水性能が向上する。
【０３２３】
また、光源ユニット１０の第１端部蓋１４０から橋部１４４を削除し、光源ユニット１０の第２端部蓋１５０から橋部１５４を削除しているので、放熱性が向上する。橋部１４４がないので照明具１の軽量化が図れる。
【０３２４】
また、連結蓋７００の第２端部蓋１５０ｊと締結部７０３とが脚部７０５によって連結されているので、第２端部蓋１５０からの通気性が妨げられることがない。
第１脚部７０５０の傾斜部７０５２が傾斜しているので、第２端部蓋１５０からの通気性が妨げられることがない。
【０３２５】
また、第１脚部７０５０を筒状にして貫通孔７１１のある挿通部７０８を形成しているので、点灯空間１３７と外部空間との通気経路を確保することができる。
また、第１脚部７０５０の挿通部７０８を、配線部材３０の配線経路として使用することができる。
挿通部７０８は、中心軸Ｏと平行な方向に形成されているので、配線部材３０を通しやすい。
第１脚部７０５０の挿通部７０８が点灯空間１３７と連通しているので、第１脚部７０５０は配線経路又は通気経路を兼ねることができ、第１脚部７０５０を通気経路と配線経路のいずれにも使用することができる。
【０３２６】
また、第１脚部７０５０に外部空間から挿通部７０８に繋がる貫通孔７１１を設けているので、点灯空間１３７と外部空間との通気経路を確保することができる。
【０３２７】
挿通部７０８が形成された方向と貫通孔７１１が形成された方向とが異なるので、貫通孔７１１から水、塵芥、埃が侵入しても、水、塵芥、埃が貫通孔１６０９ｊに侵入することを防止することができる。
貫通孔１６０９ｊは、テーパー部７０５６により４５度の角度でカバーされているので、水、塵芥、埃が貫通孔１６０９ｊに侵入することを防止することができる。
【０３２８】
また、貫通孔７１１を通気フィルタ８００で覆うので、通気性を確保しながら液密性（防水性）を確保することができる。
通気フィルタ８００は、傾斜部７０５２に取り付けられており外部に露出していないので、外れにくいし外観を損ねることがない。
【０３２９】
＊＊＊他の構成＊＊＊
＜連結蓋７００の変形例＞
連結蓋７００は、脚部７０５として４個の脚ではなく、４個以外の複数の脚を有していてもよい。
連結蓋７００は、２個の第１脚部７０５０だけを有していてもよい。
連結蓋７００は、２個の第１脚部７０５０ではなく、１個の第１脚部７０５０を有していてもよい。
１個の第１脚部７０５０の場合は、１個の第１脚部７０５０に配線経路と通気経路を形成すればよい。
連結蓋７００は、１個の第１脚部７０５０と１個の第２脚部７０５１だけを有していてもよい。
【０３３０】
連結蓋７００の第１脚部７０５０は、傾斜部７０５２ではなく、傾斜部７０５２の代わりに、中心軸Ｏと平行な平行部を有していてもよい。
１個の貫通孔１６０９ｊに照明具１本の配線部材３０を通すのではなく、貫通孔１６０９ｊの数を少なくして、１個の貫通孔１６０９ｊに複数の配線部材３０を通してもよい。
挿通部７０８は、貫通空間があればよく、第１脚部７０５０と挿通部７０８の形状は問わない。
第１脚部７０５０の形状を多角柱又は円柱の形状にし、挿通部７０８の形状を第１脚部７０５０の中央を貫通する多角柱又は円柱の貫通空間にしてもよい。
【０３３１】
＜形状の変形例＞
２個の第１ガスケット１６０ｊの形状は異なっていてもよい。
第１端部蓋１４０ｊと第２端部蓋１５０ｊの形状は異なっていてもよい。
カバー１３０が円錐台形状の場合、２個の第１ガスケット１６０ｊの外径が異なり、第１端部蓋１４０ｊと第２端部蓋１５０ｊの外径が異なる。
本体部１００ｊが円錐台形状の場合、２個の第１ガスケット１６０ｊの内径が異なり、第１端部蓋１４０ｊと第２端部蓋１５０ｊの内径が異なる。
カバー１３０が多角柱の場合、第１端部蓋１４０ｊと第２端部蓋１５０ｊと２個の第１ガスケット１６０ｊとは多角形にすればよい。
第１端部蓋１４０ｊと第２端部蓋１５０ｊと２個の第１ガスケット１６０ｊとの形状は、カバー１３０の端部と本体部１００ｊとの端部の形状に対応していればよい。
【０３３２】
＜支持ユニット２０ｊの変形例＞
照明具１に気密性、液密性を持たせる必要がない場合は、支持ユニット２０ｊの第１ガスケット１６０ｊと第２ガスケット２５０ｊは、なくてもよい。第１ガスケット１６０ｊと第２ガスケット２５０ｊとの一方があってもよい。
照明具１の落下を心配する必要がない場合は、支持ユニット２０ｊの支持プレート２１８ｊは、なくてもよい。
【０３３３】
＜配線部材３０を配線する方法の変形例＞
配線部材３０を配線する方法として以下の方法がある。
１．第１ガスケット１６０ｊと連結蓋７００とを合わせてから、配線部材３０を通す方法。
２．第１ガスケット１６０ｊと連結蓋７００と第２ガスケット２５０ｊとを合わせてから、配線部材３０を通す方法。
３．第１ガスケット１６０ｊと連結蓋７００と第２ガスケット２５０ｊと支持本体２１００ｊとを合わせてから、配線部材３０を通す方法。
４．第１ガスケット１６０ｊと連結蓋７００と第２ガスケット２５０ｊと支持本体２１００ｊと支持カバー体２１０１ｊとを合わせてから、配線部材３０を通す方法。
５．第１ガスケット１６０ｊと連結蓋７００と第２ガスケット２５０ｊと支持本体２１００ｊと支持カバー体２１０１ｊと支持プレート２１８ｊを合わせてから、配線部材３０を通す方法。
６．第１ガスケット１６０ｊと連結蓋７００と第２ガスケット２５０ｊと支持本体２１００ｊと支持カバー体２１０１ｊと支持プレート２１８ｊを合わせてからネジ２６０を通し、ネジ止めする前に配線部材３０を通す方法。
【０３３４】
更に、配線部材３０を通す方法として以下の方法もある。
１．支持本体２１００ｊと支持カバー体２１０１ｊとを合わせてから、配線部材３０を通す方法。
２．支持本体２１００ｊと支持カバー体２１０１ｊと支持プレート２１８ｊとを合わせてから、配線部材３０を通す方法。
３．支持本体２１００ｊと支持カバー体２１０１ｊと支持プレート２１８ｊとを合わせてからネジ２６０を通し、ネジ止めする前に配線部材３０を通す方法。
【０３３５】
配線部材３０を通す方法は、その他の方法でもよい。
【符号の説明】
【０３３６】
１  照明具、２  照明器具、１０，１０ａ，１０ｂ，１０ｃ，１０ｄ，１０ｅ，１０ｆ，１０ｇ，１０ｈ，１０ｉ，１０ｊ  光源ユニット、１００，１００ｊ  本体部、１０１，１０１ｊ  筒部、１０２，１０２ｊ  取付部、１０３，１０３ｊ  内周面、１０４  端部、１０５，１０５ｊ  熱放散部、１０６  ネジ孔、１０７，１０７ｊ  内部空間、１０８，１０８ｊ  放熱フィン、１０９，１０９ｊ  通気空間、１１０，１１０ｊ  外周面、１１１  鍔、１１２  通気穴、１１３  スリット、１２０  発光部、１２１  発光素子、１２２  基板、１２３  端子、１３０  カバー、１３１  透光部、１３２  外周面、１３３  内周面、１３４  端部、１３７  点灯空間、１４０，１４０ｊ  第１端部蓋、１４０ａ，１４０ｂ，１４０ｊ  第１端部蓋、１４１  円環部、１４２  溝部、１４２１，１４２１ｊ  仕切壁、１４２２  環状配置部、１４３  ネジ孔、１４４  橋部、１４５  ネジ台、１４６，１４６ｊ  通気口、１４７  幅太橋、１４８  幅細橋、１４９  環状庇、１５０，１５０ａ，１５０ｂ，１５０ｃ，１５０ｄ，１５０ｅ，１５０ｆ，１５０ｊ  第２端部蓋、１５１  円環部、１５１ａ  円環部、１５１１  配置立面、１５１２  配置底面、１５２  溝部、１５２１  仕切壁、１５２２  環状配置部、１５２３  溝底部、１５２４  溝外壁部、１５２５  溝内壁部、１５２６  外壁溝部、１５２７，１５２８  誘導ガイド、１５２９  上面、１５３  ネジ孔、１５４  橋部、１５５  貫通孔、１５６，１５６ｊ  通気口、１５７  幅太橋、１５８  幅細橋、１５９  環状庇、１６０  第１ガスケット、１６０ａ，１６０ｂ，１６０ｃ，１６０ｊ  第１ガスケット、１６０１  内凸環部、１６０２  外凸環部、１６０７  凸部、１６０８，１６０８ｊ  接続部、１６０９，１６０９ｊ  貫通孔、１６１，１６１ａ，１６１ｂ，１６１ｃ，１６１ｄ，１６１ｊ  カバーガスケット、１６１１  底部、１６１２  外壁部、１６１３  内壁部、１６１４  底面、１６１５  外側脚部、１６１６  内側脚部、１６１７  隙間、１６１７ａ  隙間、１６１８  第２溝部、１６１９  天部、１６２，１６２ｊ  筒部ガスケット、１６２１  取付部封止部、１６２２  端部封止部、１６２３  リング下面、１６２４  環状外壁面、１６２５  環状内壁面、１６２６  リング上面、１６２７  延長部、１６２８  傾斜壁、１６２９  環状庇、１６３  弧状溝、１７０  ネジ、１９０  接着剤、２０，２０ｊ  支持ユニット、２００  受電端、２０１  口金筐体、２０２  アイレット、２１０  支持体、２１１  螺合部、２１２  支持筒部、２１３  支持鍔部、２１４  ネジ孔、２１５  溝部、２１６  第１端部、２１７  第２端部、２３０  連結部、２３１  連結筒部、２３２  連結鍔部、２３３  円環部、２３４  ネジ孔、２３５  突設部、２３６  挿通部、２３７  溝部、２３８  第１端部、２３９  第２端部、２４０  放熱板、２４１  幅太ブリッジ、２４２  幅細ブリッジ、２４６  通気口、２４７  蓋、２４８  配線穴、２４９  突設空間、２５０  第２ガスケット、２６０  ネジ、３０  配線部材、４０  第３ガスケット、５０  ネジ、１０００  照明装置、１００１  支柱、１００２  導入線、１００３  電源配置部、１００４  点灯装置、１００５  支柱内電線、１０１０  ソケット、１０１１  ランプカバー、１０１��  ソケット配置部、１０１３  吊下部、１０１４  笠、１０２０  商用交流電源、５０００  天井、Ｏ  中心軸、６１  フッ素コーティング膜、６２  透光性フィルム、６３  透光性テクスチャ付きフィルム、６４  透光性カラーフィルム、２０ａ  支持ユニット、２１０ａ，２１０ｊ  支持体、２１００，２１００ｊ  支持本体、２１０１，２１０１ｊ  支持カバー体、２１１０，２１１０ｊ  螺合部、２１２０，２１２０ｊ  支持本体筒部、２１２１，２１２１ｊ  支持カバー体筒部、２１３０，２１３０ｊ  支持本体鍔部、２１３１，２１３１ｊ  支持カバー体鍔部、２１３２  外端面、２１４０，２１４０ｊ  離間凹部、２１４１，２１４１ｊ  ネジ孔、２１４２，２１４２ｊ  ネジボス、２１５０，２１５０ｊ  円筒部、２１５１，２１５１ｊ  段差部、２１５２，２１５２ｊ  外端面、２１５３，２１５３ｊ  内端面、２１６０，２１６０ｊ  第１端部、２１６１，２１６１ｊ  第１端部、２１６２，２１６２ｊ  環状部、２１７０，２１７０ｊ  第２端部、２１７１，２１７１ｊ  第２端部、２１８，２１８ｊ  支持プレート、２１８１，２１８１ｊ  ネジ孔、２３０ａ  連結部、２３１１  締結部、２３３１  円環部、２３４１  ネジ孔、２３５１  突設部、２３６１  挿通部、２３７１  溝部、２４０１  放熱板、２４０２  円柱部、２４１１  幅太ブリッジ、２４２１  幅細ブリッジ、２４６１  通気口、２４７１  周壁、２４８１  ネジ孔、２４９１  突設空間、２５０ａ，２５０ｊ  第２ガスケット、２５０１，２５０１ｊ  配線穴、２５０２，２５０２ｊ  ネジ孔、２５０３，２５０３ｊ  内厚部、２５０４，２５０４ｊ  薄部、２５０５  外厚部、２５０６  窪み、７００  連結蓋、７０１  第１端部、７０２  第２端部、７０３  締結部、７０３０  周壁部、７０３１  底壁部、７０３２  締結面部、７０４  円環部、７０４０  周壁部、７０４１  仕切壁部、７０４２  溝部、７０４３  溝底部、７０４４  溝外壁部、７０４５  溝内壁部、７０４６  環状配置部、７０４７  配置立面部、７０４８  配置底面部、７０５  脚部、７０５０  第１脚部、７０５１  第２脚部、７０５２  傾斜部、７０５３  側部、７０５４  覆い部、７０５５  外壁、７０５６  テーパー部、７０６  リブ、７０７  ネジ孔、７０８  挿通部、７０９  第１挿通口、７１０  第２挿通口、７１１  貫通孔、７９０  連結部、８００  通気フィルタ。
【図１】
2019003867.tif 000003
【図２】
2019003867.tif 000004
【図３】
2019003867.tif 000005
【図４】
2019003867.tif 000006
【図５】
2019003867.tif 000007
【図６】
2019003867.tif 000008
【図７】
2019003867.tif 000009
【図８】
2019003867.tif 000010
【図９】
2019003867.tif 000011
【図１０】
2019003867.tif 000012
【図１１】
2019003867.tif 000013
【図１２】
2019003867.tif 000014
【図１３】
2019003867.tif 000015
【図１４】
2019003867.tif 000016
【図１５】
2019003867.tif 000017
【図１６】
2019003867.tif 000018
【図１７】
2019003867.tif 000019
【図１８】
2019003867.tif 000020
【図１９】
2019003867.tif 000021
【図２０】
2019003867.tif 000022
【図２１】
2019003867.tif 000023
【図２２】
2019003867.tif 000024
【図２３】
2019003867.tif 000025
【図２４】
2019003867.tif 000026
【図２５】
2019003867.tif 000027
【図２６】
2019003867.tif 000028
【図２７】
2019003867.tif 000029
【図２８】
2019003867.tif 000030
【図２９】
2019003867.tif 000031
【図３０】
2019003867.tif 000032
【図３１】
2019003867.tif 000033
【図３２】
2019003867.tif 000034
【図３３】
2019003867.tif 000035
【図３４】
2019003867.tif 000036
【図３５】
2019003867.tif 000037
【図３６】
2019003867.tif 000038
【図３７】
2019003867.tif 000039
【図３８】
2019003867.tif 000040
【図３９】
2019003867.tif 000041
【図４０】
2019003867.tif 000042
【図４１】
2019003867.tif 000043
【図４２】
2019003867.tif 000044
【図４３】
2019003867.tif 000045
【図４４】
2019003867.tif 000046
【図４５】
2019003867.tif 000047
【図４６】
2019003867.tif 000048
【図４７】
2019003867.tif 000049
【図４８】
2019003867.tif 000050
【図４９】
2019003867.tif 000051
【図５０】
2019003867.tif 000052
【図５１】
2019003867.tif 000053
【図５２】
2019003867.tif 000054
【図５３】
2019003867.tif 000055
【図５４】
2019003867.tif 000056
【図５５】
2019003867.tif 000057
【図５６】
2019003867.tif 000058
【図５７】
2019003867.tif 000059
【図５８】
2019003867.tif 000060
【図５９】
2019003867.tif 000061
【図６０】
2019003867.tif 000062
【図６１】
2019003867.tif 000063
【図６２】
2019003867.tif 000064
【図６３】
2019003867.tif 000065
【図６４】
2019003867.tif 000066
【図６５】
2019003867.tif 000067
【図６６】
2019003867.tif 000068